(57)【要約】  ライダーが液体スポーツ運動操作を実行するための水上滑走装置は、地面とスロープに対する高さを有する支持部材と、支持部材上に配置した表面部材とを備え、この表面部材は少なくとも角度付きの面と貯液エリアを形成する。この装置は液体循環システムをさらに備え、この液体循環システムは液体源、少なくとも1つの供給ライン、少なくとも１つの戻りラインを設け、液体源は少なくとも１つの供給ラインと流体連通し、少なくとも１つの戻りラインは少なくとも1つの液体源および排液場所と連通する。この装置は、支持部材または表面部材付近に配置された少なくとも１つの液体ディスペンサを備えている。
2010528688.tif 000002
【特許請求の範囲】
【請求項１】
ライダーが水上滑走用具上で液体スポーツ運動操作を行うための水上滑走装置であって、
地面及びスロープに対し高さを有する支持部材と、
前記スロープに沿って前記支持部材上に設置される表面部材であって、少なくとも角度付きの表面と貯液エリアとを形成する表面部材と、
液体を含んだ液体源と、少なくとも１つの供給ラインおよび少なくとも１つの戻りラインとを有する液体循環システムであって、前記液体源は前記少なくとも１つの供給ラインと連通し、前記少なくとも１つの戻りラインは少なくとも１つの液体源および排液場所と連通する液体循環システムと、
前記支持部材と前記表面部材のうち少なくとも一方に隣接して配置され、前記少なくとも１つの供給ラインと連通する少なくとも１つの液体ディスペンサと、
前記表面部材の前記貯液エリアに隣接して及びその内部のうち少なくとも一方に配置され、前記少なくとも１つの戻りラインと連通する少なくとも１つの排液部とを備え、
前記装置の使用時には、前記液体源からの液体が前記少なくとも１つの供給ラインを流れ、前記少なくとも１つの液体ディスペンサから排出されて、前記角度付き面を十分な速度で流れ落ちることで、前記貯液エリアまでの前記角度付き面上に液体の水上滑走層を形成し、さらに、前記少なくとも１つの排液部から少なくとも１つの戻りラインへ流れ、また、前記水上滑走用具に乗っている前記ライダーは、重力によって前記角度付き面上で下方へ押されることで、前記水上滑走層上を水上滑走する水上滑走装置。
【請求項２】
請求項１記載の水上滑走装置において、
前記少なくとも１つの液体ディスペンサは、前記表面部材を介して前記液体を分散させる水上滑走装置。
【請求項３】
請求項１記載の水上滑走装置において、
前記液体は水である水上滑走装置。
【請求項４】
請求項３記載の水上滑走装置において、
前記液体循環システムは、前記表面部材上において少なくとも１／２インチの水を保持する水上滑走装置。
【請求項５】
請求項１記載の水上滑走装置において、
前記表面部材の前記角度付き面は複数の出張り部を含む水上滑走装置。
【請求項６】
請求項１記載の水上滑走装置において、
前記支持部材の前記スロープは凹形半径を含む水上滑走装置。
【請求項７】
請求項１記載の水上滑走装置において、
前記支持部材は、陸地の下り坂勾配である水上滑走装置。
【請求項８】
請求項１記載の水上滑走装置において、
前記表面部材は幅、第１端部および第２端部をさらに含み、前記少なくとも１つのディスペンサは前記幅に沿って前記第１端部に隣接して配置されている水上滑走装置。
【請求項９】
請求項１記載の水上滑走装置において、
前記表面部材は長さをさらに含み、前記少なくとも１つのディスペンサは、前記長さの一部に沿って配置されている水上滑走装置。
【請求項１０】
請求項１記載の水上滑走装置において、
前記少なくとも１つのディスペンサは複数のディスペンサであり、
前記表面部材は長さと幅をさらに含み、前記複数のディスペンサは、前記長さの一部と、前記幅の一部とに沿って配置されている水上滑走装置。
【請求項１１】
請求項１記載の水上滑走装置において、
前記少なくとも１つのディスペンサは、前記表面部材内に配置されている水上滑走装置。
【請求項１２】
請求項１記載の水上滑走装置において、
前記表面部材は複数の隆起コブをさらに含む水上滑走装置。
【請求項１３】
請求項１記載の水上滑走装置において、
前記支持部材は木枠構造を含む水上滑走装置。
【請求項１４】
請求項１記載の水上滑走装置において、
前記支持部材と前記表面部材は概して半円錐台形状を有し、この上に液体の前記水上滑走層が配置される水上滑走装置。
【請求項１５】
請求項１記載の水上滑走装置において、
ジャンプモジュールと着地モジュールとをさらに含み、前記ジャンプモジュールは、支持部材、表面部材、および前記液体循環システムに接続できるように操作可能に構成された配管を含み、前記着地モジュールは、着地支持部材と、表面部材と、前記液体循環システムに接続できるように操作可能に構成された配管を含む水上滑走装置。
【請求項１６】
請求項１記載の水上滑走装置において、
前記液体源は、自然の川を含む水上滑走装置。
【請求項１７】
ライダーが水上滑走を水上滑走用具上で行えるようにするための水上滑走スキム面を形成する装置であって、
地面に対する角度を有する表面部材と、
前記表面部材上に隣接して設けた少なくとも１つの液体ディスペンサと、
前記少なくとも１つの液体ディスペンサと流体連通した液体供給部とを備え、
前記水上滑走面装置の使用時に、前記液体供給部からの液体が前記少なくとも１つの液体ディスペンサを通り、前記表面部材を十分な速度で流れ落ちることで、前記表面部材上に液体の水上滑走層が形成され、また、表面滑走用具に乗ったライダーは、重力によって前記表面部材上を引き降ろされることによって、前記表面滑走層上をスキミングする装置。
【請求項１８】
請求項１７記載の装置において、
前記液体は水である装置。
【請求項１９】
請求項１８記載の水上滑走装置において、
前記少なくとも１つの液体ディスペンサは、その使用時に、前記表面部材上において少なくとも１／２インチの水位の液体を維持する水上滑走装置。
【請求項２０】
請求項１７記載の装置において、
前記表面部材は複数の出張り部を含む装置。
【請求項２１】
請求項１７記載の装置において、
前記表面部材は幅、第１端部と第２端部をさらに含み、前記少なくとも１つの液体ディスペンサは、前記第１端部に前記幅に沿って配置されている装置。
【請求項２２】
請求項１７記載の装置において、
前記表面部材は長さをさらに含み、前記少なくとも１つの液体ディスペンサは、前記長さに沿って配置されている装置。
【請求項２３】
請求項１７記載の装置において、
前記表面部材は、長さと幅をさらに含み、前記少なくとも１つの液体ディスペンサは、前記長さと前記幅とに沿って配置された複数のディスペンサである装置。
【請求項２４】
請求項１７記載の装置において、
前記少なくとも１つの液体ディスペンサは、前記表面部材の内部に配置されている装置。
【請求項２５】
請求項２３記載の装置において、
前記少なくとも１つの液体ディスペンサは、調整可能な流量ノズルを含む装置。
【請求項２６】
エクストリーム・アクション・スポーツ方法であって、
少なくとも角度付きの面を有する水上環境装置を得るステップと、
前記水上滑走環境装置の前記角度付けした面の上に液体を流し、連続した水上滑走面を形成するステップと、
前記水上滑走環境装置上で使用する水上滑走スポーツ用具を得るステップと、
前記水上滑走スポーツ用具をライダーに合わせて適合させるステップと、
前記ライダーを前記水上滑走環境装置の前記角度付き面の最上部に配置し、前記ライダーが重力によって前記水上滑走環境装置上を下方へ引き降ろされることにより、前記連続的な水上滑走面の頂部上を前記水上滑走スポーツ用具に乗って水上滑走できるようにするステップと
を備えるエクストリーム・アクション・スポーツ方法。
【請求項２７】
請求項２６記載のエクストリーム・アクション・スポーツ方法において、
前記水上滑走環境は、表面部材と、前記表面部材上に配置した複数のディスペンサと、前記複数のディスペンサと連通する液体循環部材とを備えるエクストリーム・アクション・スポーツ方法。
【請求項２８】
請求項２６記載のエクストリーム・アクション・スポーツ方法において、
前記水上滑走スポーツ用具は、
長さ、厚さ、第１表面、第２表面を形成する第１端部と第２端部を有するボード部材であって、前記第１端部と第２端部は前記第２表面から前記第１表面へ向かって屈曲するボード部材と、
前記第１表面上の前記第１端部付近に、前記長さに対して概して垂直に設けられた複数の溝と
を有するエクストリーム・アクション・スポーツ方法。
【請求項２９】
水上滑走ボードであって、
長さを形成する第１端部と第２端部、厚さ、第１表面、第２表面を有するボード部材であって、前記第１端部と第２端部は、前記第２表面から前記第１表面に向かって屈曲するボード部材と、
前記第１表面上の前記第１端部付近に配置され、前記長さに対して概して垂直な複数の可撓性溝をさらに備える水上滑走ボード。
【請求項３０】
請求項２７記載の水上滑走ボードにおいて、
前記第２端部に隣接して配置され、前記長さに対して概して垂直な第２の複数の溝をさらに含む水上滑走ボード。
【請求項３１】
請求項２７記載の水上滑走ボードにおいて、
前記第２表面上に配置され、前記長さと概して平行な複数の溝をさらに備える水上滑走ボード。
【請求項３２】
請求項２７記載の水上滑走ボードにおいて、
前記第１端部と前記第２端部は、パラボリック形状である水上滑走ボード。
【請求項３３】
請求項３２記載の水上滑走ボードにおいて、
前記第２表面上に配置された複数の溝をさらに備え、前記複数の溝の一部は、前記長さと概して平行であり、これ以外の残りの溝は、前記長さに沿ってパラボリック形状である水上滑走ボード。
【請求項３４】
請求項２７記載の水上滑走ボードにおいて、
前記第２表面上に前記長さの一部に沿って配置された水路をさらに備える水上滑走ボード。
【請求項３５】
請求項２７記載の水上滑走ボードにおいて、
前記第１表面上に配置されたビンディング搭載エリアをさらに備える水上滑走ボード。
【請求項３６】
請求項２７記載の水上滑走ボードにおいて、
前記第１表面は、横滑り防止エリアを含む水上滑走ボード。
【請求項３７】
請求項２７記載の水上滑走ボードにおいて、
前記ボードは、全体的に楕円形状である水上滑走ボード。
【請求項３８】
ライダーが液体面上を水上滑走するための水上滑走ライディング装置であって、
長さを形成する第１端部と第２端部、厚さ、第１表面、および第２表面を有する細長部材であって、前記第１端部と前記第２端部は、前記第２表面から前記第１表面に向かって屈曲し、前記第２表面は、その使用時に、前記液体表面上を水上滑走できるように構成されている細長部材と、
前記第２表面上に配置され、前記細長部材の長さと概して平行である複数の溝と
を備える水上滑走ライディング装置。
【請求項３９】
請求項３８記載の水上滑走ライディング装置において、
前記複数の溝は、前記第１表面上の前記第２端部付近にも配置され、前記長さに対して概して垂直である水上滑走ライディング装置。
【請求項４０】
請求項３７記載の水上滑走ライディング装置において、
前記複数の溝の一部は、パラボリック形状である水上滑走ライディング装置。
【請求項４１】
請求項３７記載の水上滑走ライディング装置において、
前記第２表面上において、前記長さの一部に沿って水路をさらに備える水上滑走ライディング装置。
【請求項４２】
請求項３７記載の水上滑走ライディング装置において、
前記第１表面上に配置されたビンディング搭載エリアをさらに備える水上滑走ライディング装置。
【請求項４３】
請求項３７記載の水上滑走ライディング装置において、
前記第１表面は、横滑り防止エリアを含む水上滑走ライディング装置。
【請求項４４】
請求項３７記載の水上滑走ライディング装置において、
前記第２表面は、前記第２表面上に前記長さに沿って配置された複数の溝とチャネルとを含む水上滑走ライディング装置。
【請求項４５】
請求項３７記載の水上滑走ライディング装置において、
前記幅に沿って配置された幅およびエッジと、前記エッジの一部に沿って配置されたチャネルとをさらに含む水上滑走ライディング装置。
【請求項４６】
水上滑走環境で用いられ、ライダーを前記ボードに固定するためのボード用ビンディング装置であって、
複数の固定具用孔を有し、かつ第１端部と第２端部とを有する靴底部分と、
前記靴底部分に取り付けられた２つの側部と、
前記第２端部および前記２つの側部に取り付けられた踵部分と、
前記踵部分に回転可能に取り付けられたふくらはぎ部分と、
前記２つの側部の前記第１端部付近に取り付けられた第１固定部材と、
前記２つの側部の前記踵部分付近に取り付けられた第２固定部材と、
前記ふくらはぎ部分に取り付けられた第３固定部材と
を備え、
前記靴底部分、２つの側部、踵部分、およびふくらはぎ部分は、重量を低減し、かつ使用時に前記ビンディング装置から水を排出するための複数の孔を含むビンディング装置。
【請求項４７】
請求項４６記載のビンディング装置において、
前記靴底部分は、前記ボードに回転可能に接続するビンディング装置。
【請求項４８】
水上滑走環境で用いられ、スキービンディング内に係止されるスキーブーツであって、
シェル部材と、
前記シェル部材内に取り外し可能に嵌合する挿入物と、
前記スキービンディングに係合できるように構成されたつま先端部および踵端部とを備え、
前記シェル部材は、重量を低減し、使用時には水を排出できるようにするための複数の孔を含むスキーブーツ。
【請求項４９】
請求項４８記載のスキーブーツにおいて、
前記装入物はネオプレンであるスキーブーツ。
【発明の詳細な説明】
【技術分野】
【０００１】
本発明は、エクストリーム・アクション・スポーツの分野に関し、より具体的には、使用者または参加者が、使用の液体と設備の上をスキミングしながら（滑りながら）、エクストリーム・アクション・スポーツ操作を実行する水上滑走を行う水上アクティビティに関する。
【背景技術】
【０００２】
オリンピック、ウインターＸゲーム、サマーＸゲーム、重力ゲーム、ホンダスキーツアー、ＡＳＴデューアクションスポーツツアーで注目されているアクションスポーツまたは「エクストリーム」スポーツの世界において、選手は傾斜路、クォータパイプ、ハーフパイプ、ボックス、ジャンプ、レールなどの各種スポーツ設備を使用して、様々なトリック、スタント、操作、さらに運動能力を実行する。従来、こうしたアクションスポーツは、車輪付き競技装置を用いる場合には乾いた表面エリア上で、ウェークボードやウェークスケートは海や湖のような水環境で、あるいはスキーとスノーボードはアルペンスキー競技用に調整したスキースロープ上で行われてきた。しかし、従来のアクションスポーツまたは「エクストリーム」スポーツでは、使用者が、長距離にわたって水上滑走環境が整った表面上で技、大技、エア、より高いエアといった操作を実行することができず、またこれらの操作を行う設備もなかった。さらに、従来のスポーツ、装置、方法では、使用者が、ボードと、人工のスキム面が連続的に設けられたスキースキム装置上で、スケートボード、スノーボード、および雪上スキービッグエア、クォータパイプ、ハーフパイプ、およびスロープスタイル・アクティビティで行うより高いエアやビッグエア・アクションスポーツ・スキム操作を実行することができる設備と環境を提供できない。本発明はこれらの制限および欠点を克服する。
【０００３】
液体タイプの環境または水上スポーツ環境を提供する従来の装置として、ウォータスライドやウォータシュート形態のものが存在する。これら従来の装置では、使用者は尻をつけて、あるいはマットや膨張式チューブなどのライディング装置に乗って、チューブまたは傾斜路装置を滑降する。こうした従来の滑降装置では、使用者は、使用またはライディング装置を押す水と共に傾斜路やシュートを滑降する。また、この従来のウォータスライド装置は、アクションおよびビッグエア操作を行う使用者に、実質的に連続した適切な水上滑走用の水環境を提供することができない。さらに、こうした従来のウォータ装置では、水上滑走環境でアクションスポーツ操作を正確に行うために使用者が実質的に直立して上に乗ることが可能な適切な設備を提供することができない。
【０００４】
最新の水上スポーツには、使用者が１つの設備の上に直立姿勢で乗り、または立ち、あるいは跪いて、色々な運動操作を実行する様々なアクティビティがある。こうしたスポーツには、例えば水上スキー、ウェークボード、ウェークスケート、サーフィン、海用スキムボード、平地用スキムボードが含まれる。こういったアクティビティは、一般に、海、湖、川といった開放水域上で行われ、風、エンジン、風力式の船、波、使用者からの物理エネルギーを必要とする。これらアクティビティのいずれも、装置上に連続した水上滑走面を実質的に設け、その設備で使用者がこの水上滑走面上でアクション、より高いエア、ビッグエア、グラインド、滑動操作を実行できる人工の環境を提供しない。本発明はこうした人工環境および設備を提供する。さらに、本発明は、開放水域、波、動力船を必要とせず、陸地で展開したり、水上に浮遊させたりすることができ、また、自然、人工、人造の水面、またこれらを任意に組み合わせて作られた開放水域と共に使用することが可能な運動エネルギーを（重力および使用者から）提供する人工の環境を提供する。
【０００５】
他の従来の装置にも、人工環境での装置にてアクションスポーツおよびボーディング体験を提供しようと試みたものがある。その一例が、米国特許５，５０３，５９７号に開示されたＬｉｖｅｒｍｏｒｅによる雪上スキー環境を模倣した装置である。Ｌｉｖｅｒｍａｎ特許は、雪上スキーやスノーボード・アクティビティを実行できる表面エリア上に配置する人工のスキーマットを開示する。スキーまたはスノーボードはスキーマットと直接接触する。マット表面の潤滑剤として水を使用する。しかし、この従来の装置は、使用者がアクション、より高いエア、ビッグエア操作の実行が可能な、実質的に連続した水上滑走環境と用具を提供していない。
【０００６】
別例として、米国特許５５６４８５９号および米国特許５３９３１７０号のＴｈｏｍａｓ  Ｊ．Ｌｏｃｈｔｅｆｅｌｄの「Ｍｅｔｈｏｄ  ａｎｄ  ａｐｐａｒａｔｕｓ  ｆｏｒ  ｉｍｐｒｏｖｉｎｇ  ｓｈｅｅｔ  ｆｌｏｗ  ｗａｔｅｒ  ｒｉｄｅｓ（シート状に流れる水へのライディングを改善する方法と装置）」がある。このＬｏｃｈｔｅｆｅｌｆ特許は、１人または複数人数が参加できる、推進ポンプによって水の流れを作る装置を開示する。参加者は、海サーフィンとよく似たこの水の流れの上で様々な操作を実行する。参加者は装置の限定されたエリア内に留まり、水位低下時に、水流の推進によって装置の後方へと押される。Ｌｏｃｈｔｅｆｅｌｄ特許の装置は、水平面上に水を強制的に流し、傾斜部分を上らせることで、参加者に波タイプの環境を提供する。さらに、この装置では、参加者はバランスを保つために、推進された超臨界速度を必要とする。しかし、Ｌｏｃｈｔｅｆｅｌｄによって開示されたこの装置は、重力を主要動力として水上滑走するライダーを装置上で推進させる環境を提供していない。
【０００７】
従来の最高技能レベルのアクション「エクストリーム」スポーツに参加するためには、年間を通じた訓練が必要である。上述したＬｉｖｅｒｍｏｒｅ装置のようないくつかの従来の装置は、選手が年間を通じて練習できる環境の提供を試みている。選手は、望みどおりの天気、温度、その他の条件を満たす世界各地へ出かけて訓練することができる。しかし、地方の選手の多くは世界各地へ移動するための資金を得られず、また、従来の装置は、要求される全ての操作を訓練するために必要な動的な環境を提供することができない。本発明はこれらの限界を克服する。
【０００８】
従来技術の別の局面は、ウェークボーターとアマチュア・スキム・ボーダーである。こうした人達は、浅い川や静水の上で、従来の海用スキムボード、従来の平地用スキムボード、従来のウェークボード、およびその他の類似装置を使用する。使用者はこの従来の装置へと走りこれに飛び乗って、浅い水または静水の表面上に乗ったり、または表面上をスキミングしたりするか、あるいは、動力船に引っ張られる。このタイプのアマチュアの従来型アクティビティでは、動力船を使用するか、或いはウインチで牽引することなく、水上滑走環境上で、エクストリーム・アクション・スポーツの操作、およびより高いエア操作を行うのに必要な位置および運動エネルギーを提供することができない。
【発明の概要】
【発明が解決しようとする課題】
【０００９】
本発明の目的は、従来のアクション・エクストリーム・スポーツ装置と環境の欠点および短所を克服することである。本発明は、人物またはエクストリームスポーツ選手が実質的に連続する水上滑走表面上で水上滑走アクション・スポーツ・アクティビティおよび操作を行うための装置および用具を提供し、この装置は、開放水域や、使用者を動力船やウインチのような電源装置によって牽引することを必要としない。本発明は、自然および人工人造の解放水域／閉鎖水域、例えば屋内および屋外の、プール、湖、小川、川、池、海と共に、またこれらと連携して使用することができる点を理解されたい。
【課題を解決するための手段】
【００１０】
本発明は、陸地に配置、又は水上に浮遊させた表面上、あるいは自然／人工の解放水域および閉鎖水域と併用して得た表面上の液体水上滑走環境においてエクストリーム・アクション・スポーツ操作に参加するための環境と、位置および運動エネルギーを提供する。
【００１１】
本発明は、使用者が、液体水上滑走環境でスキミング、アクション、より高いエア、およびビッグエア操作を実行するために、その上に直立姿勢で立つまたは跪いて利用できる用具を提供する。
【００１２】
さらに、本発明の目的は、エクストリーム・アクション・スポーツ選手や使用者が年間を通じて、連続した水上滑走環境に参加したり、そこで練習や訓練を行ったりすることのできる環境を提供することである。
【００１３】
これに加えて、本発明は、例えば屋内、屋外、裏庭、アリーナ、スタジアム、公園、およびリゾート地、都市部、郊外、および田舎、ビーチ、山岳地域を含む様々な場所で使用できる装置を提供する。
【００１４】
さらに、本発明で開示する液体水上滑走環境は、年間を通じて参加者が得られる、個人、商業、慈善事業イベント、エンターテイメント、娯楽、ゲームおよびスポーツイベント用に、テーマパーク、スポーツコンプレックス、施設、行事開催指定地のような新たな「知名度のある」環境での、あるいは、液体水上滑走環境を作るために一時的または永久的に改造された既存の場所での指定の場所で収入を生む方法を提供する。
【００１５】
本発明の別の目的は、移動式で、ある場所から別の場所へ簡単に移送できる液体水上滑走環境装置を提供することである。こうした一実施形態では、水上滑走環境は、所望の場所へ移送するためにこの水上滑走環境装置を一時的に取り付けた牽引車やトレーラーによって移送される。この水上滑走環境装置は、参加者が設置して使用することができる。本発明はまた、液体水上滑走環境を移動式の一次車両、牽引車両、トレーラー、またはこれらの任意の組み合わせに永久的に取り付けておき、参加者がある場所へ移送して設置することができるという点を理解されたい。また、この移動式ユニットを、自然水域、人工水域、またはこれらの組み合わせでの使用に永久的、一時的、またはその両方に配置した、本発明で開示した多様な液体水上滑走環境装置と併用することもできる点を理解されたい。
【００１６】
本発明の別の実施形態は、本発明で述べたように使用者、選手、またはライダーが、様々な「エクストリーム」アクションスポーツ操作、エア、より高いエア、およびビッグエア操作を行うために利用する液体水上滑走環境を提供する液体水上滑走環境モジュールユニットを提供することである。この液体水上滑走環境モジュールユニットは、複数部品から成る構造、または射出成形した単体であってよく、いずれの場合も内部または外部の配管システムを備える。この液体水上滑走環境モジュールユニットは、単独で、または、複数結合させて「タイル」や「エンド・トゥ・エンド」形状といった多様な構成にして使用することができる。液体水上滑走環境モジュールユニットは、木材、金属、コンクリート、足場からなる従来の支持システムおよび構造によって支持するか、あるいは、陸地、コンクリート、もしくは、スケートボード、スノーボード、雪上スキーに使用される既にある従来のアクションスポーツ装置のような他の十分な支持部の上に設置することができる。さらに、液体水上滑走環境モジュールユニットは、様々な形状と大きさに構成または射出成形することで、使用者が多様な「エクストリーム」アクションスポーツ操作を行うことが可能な、ハーフパイプ、クォータパイプ、ビッグエア、スロープスタイル、ステア・ステップ・カスケーディング、ジャンプ、スロープ、傾斜路といった液体水上滑走環境実施形態を提供することができる。
【００１７】
本発明はまた、液体水上滑走環境で使用する設備の様々な用具品を提供する。この水上滑走用具には、スキムスキー、ボード、ビンディング、ブーツ、ポール、ヘルメット、上半身保護用品、下半身保護用品、履物、手袋、ゴーグルなどがある。
【００１８】
本発明はさらに乗ったライダーが、水上滑走用具上で液体スポーツ運動操作を実行するための水上滑走装置を提供し、この水上滑走装置は、地面またはスロープに対する高さを有する支持部材と、前記スロープに沿って前記支持部材上に設置される表面部材であって、少なくとも角度付きの表面と貯液エリアとを形成する表面部材と、液体を含んだ液体源と、少なくとも１つの供給ラインおよび少なくとも１つの戻りラインとを有する液体循環システムであって、前記液体源は前記少なくとも１つの供給ラインと連通し、前記少なくとも１つの戻りラインは少なくとも１つの液体源および排液場所と連通する液体循環システムと、前記支持部材と前記表面部材のうち少なくとも一方に隣接して配置された、前記少なくとも１つの供給ラインと連通する少なくとも１つの液体ディスペンサと、前記表面部材の前記貯液エリアに隣接してまたはその内部のうち少なくとも一方に配置され、前記少なくとも１つの戻りラインと連通する少なくとも１つの排液部とを備え、前記装置の使用時には、前記液体源からの液体が前記少なくとも１つの供給ラインを流れ、前記少なくとも１つの液体ディスペンサから排出されて、前記角度付き面を十分な速度で流れ落ちることで、前記貯液エリアまでの前記角度付き面上に液体の水上滑走層を作り、さらに、前記少なくとも１つの排液部から少なくとも１つの戻りラインへ流れ、また、前記水上滑走用具に乗っている前記ライダーは、重力によって前記角度付き面上で下方へ押されることで、前記水上滑走層上を滑走する。
【００１９】
本発明はまたさらに、ライダーが水上滑走を水上滑走用具上で行えるようにするための水上滑走スキム面を形成する装置を提供し、この装置は、地面に対する角度を有する表面部材と、前記表面部材上で隣接して設けた少なくとも１つの液体ディスペンサと、前記少なくとも１つの液体ディスペンサと連通した液体供給部とを備え、前記水上滑走面装置の使用時に、前記液体供給部からの液体が前記少なくとも１つの液体ディスペンサを通り、表面部材を十分な速度で流れ落ちることで、前記表面部材上に液体の水上滑走層が作られ、また、表面滑走用具に乗った前記ライダーは、重力によって前記表面部材上を引き降ろされることによって、前記表面滑走層上をスキミングする。
【００２０】
本発明はまたさらに、エクストリーム・アクション・スポーツ方法を提供し、この方法は、少なくとも角度付きの面を有する水上環境装置を得るステップと、前記水上滑走環境装置の前記角度付けした面の上に液体を流し、連続した水上滑走面を作るステップと、前記水上滑走環境装置上で使用する水上滑走スポーツ用具を得るステップと、前記水上滑走スポーツ用具をライダーに合わせて適合させるステップと、前記ライダーを前記水上滑走環境装置の前記角度付き面の最上部に配置し、前記ライダーが重力によって前記水上滑走環境装置上を下方へ引き降ろされることにより、前記連続的な水上滑走面の頂部上を前記水上滑走スポーツ用具に乗って水上滑走できるようにするステップとを備える。
【００２１】
本発明は水上滑走ボードを提供し、このボードは、長さと厚さを形成する第１端部と第２端部、第１表面、第２表面を有するボード部材を備え、前記第１端部と第２端部は前記第２表面から前記第１表面に向かって屈曲し、前記第１表面上の前記第１端部付近に配置され、前記長さに対して概して垂直な複数の可撓性溝をさらに備える。
【００２２】
本発明はさらに、ライダーが液体面上を水上滑走するための水上滑走ライディング装置を提供し、この装置は、長さと厚さを形成する第１端部と第２端部、第１表面、および第２表面を有する細長部材であって、前記第１端部と前記第２端部は、前記第２表面から前記第１表面に向かって屈曲し、前記第２表面は、その使用時に、前記液体表面上を水上滑走できるように構成されている、細長部材と、前記第２表面上に配置され、前記細長部材の長さと概して平行する複数の溝とをさらに備える。このライディング装置はスキーまたはボードであってよい。
【００２３】
本発明はまた、水上滑走環境で用いる、ボード上に使用してライダーを前記ボードに固定するためのビンディング装置を提供し、このビンディング装置は、複数の固定具用孔を設けた、第１端部と第２端部を有する靴底部分と、前記靴底部分に取り付けられた２つの側部と、前記第２端部および前記２つの側部に取り付けられた踵部分と、前記踵部分に回転可能に取り付けられたふくらはぎ部分と、前記２つの側部の、前記第１端部付近に取り付けられた第１固定部材と、前記２つの側部の、前記踵部分付近に取り付けられた第２固定部材と、前記ふくらはぎ部分に取り付けられた第３固定部材とを備え、前記靴底部分、２つの側部、踵部分、およびふくらはぎ部分は、重量を低減し、使用時に前記ビンディング装置から水を排出するための複数の孔を含む。
【００２４】
本発明はまたさらに水上滑走環境で使用する、スキービンディング内に係止されるスキーブーツを提供し、このスキーブーツは、シェル部材と、前記シェル部材内に取り外し可能に嵌合する挿入物と、前記スキービンディングに係合できるように構成されたつま先端部および踵端部とを備え、前記シェル部材は、重量を低減し、使用時には水を排出できるようにするための複数の孔を含む。
【００２５】
本発明のこれら、またはこれ以外の特徴および利点は、以下の、本発明による装置および方法の様々な例証的実施形態の詳細な説明に記述され、これによって明白となる。
【図面の簡単な説明】
【００２６】
【図１Ａ】本発明により製造した水上滑走環境装置の斜視図。
【図１Ｂ】図１Ａの本発明により製造した水上滑走環境装置の水上滑走面の略概略図。
【図２】図１Ａの装置の側面図。
【図３】図１Ａに示した装置を、図１Ａの線３−３における表面エリアの断面図。
【図４】図１Ａに示した装置を図３の線４−４における表面エリアの断面図。
【図５】図３に示す表面エリアの代替実施形態の断面図。
【図６】図５に示す表面エリアを、図５の線６−６における断面図。
【図７】図３に示した表面エリアの別の代替実施形態の断面図。
【図８】図７に示した表面エリアを、図７の線８−８における断面図。
【図９Ａ】図１Ａの装置の表面エリアを示す詳細な正面図。
【図９Ｂ】図１Ａの装置の表面エリアを示した図９Ａの詳細な正面図の詳細な背面図。
【図１０】図９Ａの円Ａの詳細図であり、図１Ａの装置の表面エリアの詳細を示す図。
【図１１】図９Ａの楕円形Ｂの詳細図であり、図１Ａの装置の分与部分の側面図を示す図。
【図１２】図１１の線１２−１２における、図１１の分与部分の断面図。
【図１３】図１Ａの円Ｃの詳細図であり、図１Ａの装置の分与部分の詳細斜視図を示す図。
【図１４】本発明により製造したジャンプモジュール水上滑走環境装置の斜視図。
【図１５】図１４の円Ｄの詳細図であり、図１４の装置の分与部分の詳細斜視図。
【図１６】本発明により製造した着陸モジュール水上滑走環境装置の斜視図。
【図１７】本発明により製造したボックスモジュール水上滑走環境装置の斜視図。
【図１８】本発明により製造したハーフパイプ水上滑走環境装置の斜視図。
【図１９】図１８のハーフパイプ水上滑走環境装置の側面図。
【図２０】本発明により製造したクォータパイプ水上滑走環境装置の斜視図。
【図２１】図２０のクォータパイプ水上滑走環境装置の側面図。
【図２２】本発明により製造した半円錐台形水上滑走環境装置の斜視図。
【図２３】図２２の半円錐台形水上滑走環境装置の側面図。
【図２４】本発明により製造した水上滑走環境装置の代替実施形態の側面図。
【図２５】本発明により製造した水上滑走環境装置の別の代替実施形態の側面図。
【図２６】本発明により製造した水上滑走装置に使用するための、本発明により製造したスキムボード装置の斜視図。
【図２７】図２６のスキムボード装置の側面図。
【図２８】図２６のスキムボード装置の底面図。
【図２９】図２８の線２９−２９における、図２６のスキムボード装置の断面図。
【図３０】（本発明）により製造したスキムボード装置の代替実施形態の底面図。
【図３１】図３０の線３１−３１における図３０のスキムボード装置の断面図。
【図３２】本発明により製造したスキムボード装置の別の代替実施形態の斜視図。
【図３３】図３２のスキムボード装置の底面図。
【図３４】図３３の線３４−３４における図３２のスキムボード装置の断面図。
【図３５】本発明により製造したスキムボード装置のさらに別の代替実施形態の斜視図。
【図３６】図３５のスキムボード装置の平面図。
【図３７】図３５のスキムボード装置の底面図。
【図３８】図３７の線３８−３８における図３５のスキムボード装置の断面図。
【図３９】本発明により製造したスキムボード装置のまた別の代替実施形態の斜視図。
【図４０】図３９のスキムボード装置の平面図。
【図４１】図３９のスキムボード装置の底面図。
【図４２】図４１の線４２−４２における図３９のスキムボード装置の断面図。
【図４３】本発明により製造した、図２６のスキムボード上で使用するビンディング装置の斜視図。
【図４４】図１Ａの装置１０の上で使用するための、本発明により製造したスキムスキー装置の斜視図。
【図４５】図４４のスキムスキー装置の底面図。
【図４６】図４４のスキムスキー装置の側面図。
【図４７】図４４のスキムスキー装置を、図４５の線４７−４３における断面図。
【図４８】本発明により製造したスキムスキー装置の代替実施形態の斜視図。
【図４９】図４８のスキムスキー装置の底面図。
【図５０】図４８のスキムスキー装置の側面図。
【図５１】図４９の線５１−５１における図４８のスキムスキー装置の断面図。
【図５２】本発明により製造したスキムスキー装置の代替実施形態の斜視図。
【図５３】図５２のスキムスキー装置の底面図。
【図５４】図５２のスキムスキー装置の側面図。
【図５５】図５３の線５５−５５における図２２のスキムスキー装置の断面図。
【図５６】本発明により製造した、図４４のスキムスキー上で使用するビンディング装置の代替実施形態の側面図。
【図５７】図５６のビンディング装置の平面図。
【図５８】本発明により製造した、図５６のビンディング装置内で使用するブーツ装置の側面図。
【図５９】本発明により製造した、図４３のビンディング装置内で使用するブーツ装置の代替実施形態の側面図。
【図６０】本発明により製造した水上滑走環境において使用するバランスポールの斜視図。
【発明を実施するための形態】
【００２７】
本発明の様々な例証的実施形態は以下の図面を参照して詳細に説明される。
使用者がボードやスキー板の上に立って操作を行うエクストリーム・アクション・スポーツといえば、スケートボード、スノーボード、雪上または水上スキー、フラットランドスキムボードを思い付く。さらにこれ以外にも、傾斜路、ハーフパイプ、クォータパイプ、ボウル、ジャンプ、レールのような用語または特徴が思い浮かぶかもしれない。上述した従来のエクストリーム・アクション・スポーツはそれぞれ独自の環境を必要とする。スケートボードにはコンクリートまたは木製のスケート場が、スノーボーダーおよび雪上スキーヤーには積雪した山が、ウェークボーダーと水上スキーヤーには湖が必要である。
【００２８】
本発明は、全く新たな環境と用具を用いる全く新しいスポーツを生み出す。この新たな環境とは、表面積上に液体が制御された速度と深さで流れる水上滑走環境のことである。使用者またはライダーは、以下で記述する本発明により形成した用具を具備したスキーやボードのような用具を装着する。使用者は本発明の表面上をスキムボードで滑るまたは水上滑走するが、この場合、使用者は概して薄い液膜の上を滑っているのである。
【００２９】
図１Ａは、本発明により形成したエクストリームアクション水上滑走装置１０の一実施形態を示す斜視図である。図１Ａ、図２に示すように、エクストリームアクション水上滑走装置１０は支持部材または支持構造１５、表面部材４０、液体５循環システム８０を備える。本実施形態における支持構造１５は、使用者またはライダー１に高さまたは位置エネルギーを付与するように従来の方法で建造した支持構造である。支持構造１５は、従来の建造技術によって複数の支持筋交い１６と支柱１７を接続したものである。支持構造１５は、さらに梯子１８、プラットホーム１９、安全レール２０を含む。本実施形態では、ライダー１は梯子１８を登ってプラットホーム１９に到達できるようになっているが、他の様々な例証的実施形態では、プラットホームへは、昇降段、階段、エレベータ、リフトシステム、地面などの様々な手段により到達できることを理解されたい。
【００３０】
本実施形態の支持構造１５は木製である。しかし他の様々な例証的実施形態では、支持部材は、当技術分野で一般的であるように、金属、プラスチック、コンクリートまたは複合材料で、またはこれらを任意に組合せて建造することができる点を理解されたい。さらに、上記以外の様々な例証的実施形態では、支持部材はスキースロープのような下り勾配の土地や、スケートボードまたは自転車モトクロス（ＢＭＸ）に使用する既存の従来型アクションスポーツ装置であってもよい。また、他の実施形態では、支持構造はこれ以外の支持部、例えば足場などである点も理解されたい。さらに、別の例証的実施形態では、支持構造はトラックやトレーラーといった移動車両に搭載されている。これらの移動式の実施形態では、アクション水上滑走装置の他の構成部品は移動車両上に含まれるか、移動車両によって運搬される。
【００３１】
本実施形態による支持構造１５は、高さ２１を有する下り傾斜路である。これ以外の様々な例証的実施形態では、支持構造は別形状のもの、例えばハーフパイプ、クォータパイプ、ボウル、ジャンプ、着地傾斜路（このうちのいくつかについては以降で説明する）であってもよい点を理解されたい。支持構造は、傾斜路、ハーフパイプ、クォータパイプ、ボウル、ジャンプ、平坦面などのような様々なモジュールを含むものの、これらを組み合わせることで構造物を一層複雑に配列することが可能となる。他の様々な例証的実施形態では、装置１０と支持構造１５を、様々な高さ、組み合わせ、地上・地中形状で、またはこれらの組み合わせにおいて設計したり、さらに使用者の嗜好、エクストリーム水上滑走スポーツ規律、その他の嗜好に応じて設計したりすることができる点を理解されたい。本発明の数々の実施形態は、より小型に製造することで、小立像や人形を利用した玩具または装飾品としても利用できる点を理解されたい。
【００３２】
支持構造１５は、高さ２１の方法によってライダー１に位置エネルギーを付与する。ライダー１は、表面部材４０を水上滑走して下降することで位置エネルギーを運動エネルギーに変換し、この運動エネルギーをエクストリーム・アクション・スポーツ操作の実行のために用いる。これについては以下で説明する。
【００３３】
液体循環システム８０はポンプ８１、液体供給部８２、配管供給ライン８３、配管戻りライン８４、複数の排液部８５、送液部８６を含む。本実施形態では、供給ライン８３と戻りライン８４は従来のポリ塩化ビニル（ＰＶＣ）材料でできている。しかし、他の様々な例証的実施形態では、この供給ラインと戻りラインを当技術分野で一般的な別の材料で形成することができる点を理解されたい。ポンプ８１は液体供給部８２から液体５を汲み上げ、供給ライン８３を介して複数の送液部８６へ送り、表面部材４０上に排出させる。本実施形態では、ポンプ８１が液体循環システムの供給側に１つ、戻り側に１つ、合計で２つ設置された状態で示されている。戻り側ポンプは任意であるが、供給源が貯液エリアおよび排液部と同じ高さ、またはこれよりも高い位置に在る場合には、戻り側ポンプを使用することが好ましい。液体循環システム８０が表面部材４０に液体５を供給することで、表面部材４０上に水上滑走環境が保たれる。
【００３４】
液体５は複数の送液部８６によって表面部材４０に供給され、重力によってこの表面４０を流れ落ちる。液体５は傾斜路構造の底に溜まり易くなり、複数の排液部８５を介して表面部材４０から排液される。排液部８５は戻りライン８４と連通する。液体５は排液部８５から戻りライン８４へ移動した後に液体供給部８２へと戻る。
【００３５】
本実施形態で使用されている液体５は水である。しかし他の様々な例証的実施形態においては、液体は高粘度を有するこれ以外の形態または化合物、例えば限定はされないがグリコールであってもよい点を理解されたい。さらに本発明では、粘度を増すために水５に当技術分野で一般的な添加物を含有させることも考えられる。またさらに、ライダー１や使用者が所望すれば、ジュース、炭酸飲料、アルコール（ワイン、ビール、シャンパン）といった従来使用されていない液体も装置１０に使用することができる。
【００３６】
本実施形態では、液体供給部８２はタンクである。しかし、他の様々な例証的実施形態では、タンクの代わりにあらゆる天然または人工の水源、例えば湖、川、プール、上水道を使用したり、これらをタンクと組み合わせたりすることができる点を理解されたい。本発明ではこれに加え、自然水源を使用する場合、水をタンクに汲み上げるのではなく、自然水供給部に戻すことが考えられる。
【００３７】
本実施形態では、図３に示すように、表面部材４０上に水位少なくとも１／２インチ（１２．７ｍｍ）の水を保つことが望ましい。しかし、他の様々な例証的実施形態では、水上滑走環境を維持するために表面部材上に設ける液体５の量はいくつかの要素に応じて変わる点を理解されたい。こうした要素に考えられる数例としては、構造の急勾配、ライダーの体重、ライダーが使用を所望する用具が挙げられる。この流量を提供する方法は、当技術分野で一般的であるように、従来の水圧法を用いて液体５の圧力、流量、汲み上げ高さを求めることで公式計算される。流量は次の例証的な例により求められる。流体ディスペンサ（または笠木）にわたって設けられている、堰から出た直線足（あるいは液体の流れ）１本につき毎時９００ガロン（３４０６．５ｌ）（または毎分１５ガロン（５６．７８ｌ））を乗算する。最低液体供給量を求める式（長さ×幅×高さ×７．５×３）から、高さ１／２インチ（１２．７ｍｍ）の滑走表面液体を供給するのに必要な液体量（ガロン）が計算される。水力物理学の当業者は、既知の計算値を用いて、水上滑走実施形態モジュールのサイズに対し最低水位１／２インチ（１２．７ｍｍ）の液体が必要であることを算出できる点を理解されたい。
【００３８】
表面部材４０は支持構造１５によって支持されている。別の例証的実施形態では、任意により、支持構造１５に表面部材４０を取り外し可能に取り付けられるようになっている。本実施形態では、図３および図４に示すように、表面部材４０は第１層または支持層４１、第２層またはバリア４２、さらに水上滑走環境を提供する第３層またはスキム面４３を備える。表面部材は、本実施形態で考えられる多様な複数の層で建造したり、以降で説明するように個別に分かれた複数の層である必要がない射出成形のような単体タイプに建造したりすることができる点を理解されたい。さらに、表面部材は単体であっても、あるいは相互に隣接配置することで表面部材４０の全幅および全長を形成する完全に個別の複数の部品から成っていてもよい。
【００３９】
表面部材４０は幅５１を有する。この幅は複数の部分または側壁４４で形成されている。表面部材４０の幅はそれぞれの用途によって異なる点を理解されたい。次に、幅寸法の異なるいくつかの追加の例証的実施形態についてさらに説明する。本実施形態では、この複数の部分４４は、スキム面または水上滑走領域４０の境界を形成する側壁またはガンネルである。他の例証的実施形態では、ガンネルは液体深度を調節できるように高さが調整可能になっている点を理解されたい。こうした実施形態におけるこの高さの調整は手動、電気、水力などの方法で行うことができる。
【００４０】
表面部材４０はさらに長さ、第１端部５８および第２端部５９を含み、この長さは表面部材４０が搭載プラットホーム１９にて支持構造１５の頂部と結合する場所から表面部材４０の第２端部５９にまで延びている。第２端部５９は取り外せるようになっているため、他の構成部品またはモジュールを容易に追加することができる。これについては以下で説明する。
【００４１】
表面部材４０に設けられた複数の送液部８６は、複数の分与部４５、複数の分与部４６、水平または笠木状のディスペンサ５５をさらに含む。本実施形態では、装置１０に採用された複数の送液部を全て図示するが、他の様々な例証的実施形態では、装置には、取り付けられた、または使用されている複数の送液部の任意の組み合わせを用いることができる点を理解されたい。
【００４２】
本実施形態は、第３層４３付近に設けた２個の分与部４５Ａ、４５Ｂを含む。分与部４５Ａ、４５Ｂは第３層の頂部に配置することがより好ましい。分与部４５Ａ、４５Ｂはガンネル４４に対向して配置することがさらに好ましい。他の様々な例証的実施形態では、各分与部は、第３層４３に対する異なる場所にそれぞれ配置することができる点を理解されたい。分与部４５Ａ、４５Ｂは、表面部材４０の長さの少なくとも一部に沿って延びている。また、図１Ａに見られるように、分与部４５Ａ、４５Ｂを表面部材４０のほぼ全長に沿って配置すればさらに好ましい。他の例証的実施形態では、分与部を表面部材の長さの少なくとも一部に沿って配置できる点を理解されたい。分与部４５Ａ、４５Ｂは供給ライン８３と連通する。
【００４３】
分与部４５Ａ、４５Ｂは複数の細長開口６３を含み、図３、図４、図９Ａ、図１１に見られるように、この細長開口より供給された液体５は分与部から表面部材４０へ出ることができる。複数の分与部４５は表面部材４０の端部５９にて終端することが好ましい。
【００４４】
図１１および図１２は、複数の分与部４５の詳細を示す。複数の分与部４５は外部材６１、内部材６２、軸６５を含む。内部材６２は外部材６１の中に配置されている。これにより得た装置は、配管設備内の管であると考えられる。内部材６２は軸６５に沿って外部材６１と同軸整列していることが好ましい。内部材６２は、当技術分野で一般的な機構と機材を用いた従来の配管技術により供給ライン８３と連通する。液体５が、図１５中の矢印Ｄで示すように内部材６２に供給される。内部材６２の長さに沿って複数の孔６４が設けられている。これらの孔６４は円形であることが好ましい。外部材６１は複数の開口６３を含む。この開口６３は角を丸くした矩形か、細長い楕円形であることが好ましい。また、開口６３は外部材６１に沿って設けられている。他の実施形態では、例えば図１４、図１７、図１９に示すように、複数の開口６３は円形であり、分与部４５に沿って先に行くほど多数設けられている点を理解されたい。本実施形態では、複数の孔６４は約１／４インチ（６．３５ｍｍ）の孔であることが好ましい。しかし、他の様々な実施形態では、他の孔は、表面部材４０に適切な流量を提供する、サイズや機構の異なるノズルであってよい点を理解されたい。さらに、別の様々な例証的実施形態では、内部材と外部材にそれぞれ設ける孔は円形、楕円形以外の別の形状である点も理解されたい。これに加え、他の実施形態において、内部材と外部材の孔は同じ形状である。また別の実施形態では、使用者の嗜好に応じて、内部材６２と外部材６１を軸に沿った多様な位置に整列させることができる。
【００４５】
本実施形態では、内部材６２は１インチ（２５．４ｍｍ）のポリ塩化ビニル（ＰＶＣ）製の管であり、外部材６１は２インチ（５０．８ｍｍ）のＰＶＣ製の管である。しかしながら、他の様々な実施形態では、これ以外にも、当技術分野で一般的な材料およびサイズを用いることができる点を理解されたい。外部材６１と内部材５２の直径差は、特定用途に使用する約１／４インチ（６．３５ｍｍ）から殆どの用途に使える最大約１インチ、さらに、約１インチ（２５．４ｍｍ）からより大型用途の３インチ（７６．２ｍｍ）を超える大きさと、使用者の選択する用途に応じて異なる点を理解されたい。さらに、非常に大型の実施形態では、外部材６１と内部材６２の直径の差は３インチを越えてもよいことも理解されるべきである。
【００４６】
図１２を参照して説明を行うために、用語「左」、「右」、「上」、「下」を用いる。この方向は、複数の分与部４５の使用を制限することを目的としていない。複数の孔６４により、供給ライン８３から供給されて内部材６２を流れる液体５が、内部材６２から矢印Ａで示す右方向へ流出できるようになる。複数の細長い開口６３により、内部材６２から流れ出る液体５が、外部材６１から矢印Ｂで示す左方向（または、この例証的な実施形態ではスキム面４３に向かって）および下方向へと流出できるようになる。このような各孔の配列により、液体５は各開口６３の底縁からスキム面４３上へと溢れる。孔６４は、その軸が、軸６５の上下相対位置に関してこれとほぼ等しくなるように位置決めされることが好ましい。開口６３は、それぞれの開口６５が軸６５の下、またはさらに下の方に位置するように位置決めされることが好ましい。本実施形態では、分与部４５の長さに沿った、細長い開口６３と孔６４の比率は３：１であることが好ましい。しかし、他の様々な実施形態では、これ以外の比率でも、細長い開口から排出される液体５の所望の流量を達成できる点を理解されたい。
【００４７】
表面部材４０の複数のディスペンサ４５は雌端部５３を含み、図１３に示すように、この雌端部５３は、複数のディスペンサ４５の、端部５９に近い場所に設けられ、密封可能な雄嵌合部を受容するように動作可能に構成されている。このことは当技術分野において一般的である。図１３では、端部５９の一部を取り外して、別の装置と結合するために用いた雌端部５３を露出させるようにしてある。他の様々な実施形態では、当技術分野で一般的に使用されている各種接続取り付け部品を配管の接続に使用することができる点を理解されたい。
【００４８】
図９Ａに示すように、複数の分与部４６は表面部材４０のエリア全体にわたって設けられている。複数の分与部４６は、或るパターンでスキム面４３内のあちこちに分散している。この複数の分与部４６のパターンは表面部材４０上に均一に配置されているが、急勾配区間ではより多く、水平な区間では少なくなっている。図４に示すように、複数の分与部４６は、第１層４１と第２層４２を貫通している。分与部４６は、表面端部と非表面端部を設けた導管であることが好ましい。表面端部は、表面部材４０のスキム面４３と同一平面となるように設計されている。複数の分与部４６のそれぞれの非表面端部はノズル４７に接続する。供給ライン４８はこのノズル４７に接続する。供給ライン４８は供給ライン８３のうち少なくとも１本と連通する。ノズル４７は、様々な要素に基づいて流量を変更して提供できるように、調整可能なノズルであることが好ましい。こうした要素には、例えばスキミング流体として使用する液体５の種類、表面部材上のノズルの位置、スキミング流体の所望深さが含まれる。ノズル４７は、表面部材４０上に分与される液体５の量を調節する上で役立つ。さらに、ノズル４７を手動で、あるいはコンピュータやコンピュータプログラムなどで自動的に調節することで、液体５の流量を調整できる点を理解されたい。様々な実施形態では、実施形態の色々な位置においてディスペンサ４６の個数を増減することで、使用者またはライダーの嗜好、実施形態表面の急勾配度、実行する操作の種類に応じて、液体の深さや流量を変更できるようになる点が理解されるべきである。
【００４９】
さらに、ノズルの調節は、表面部材のあちこちに配置したセンサ（図示せず）によって異なる点も理解されたい。いくつかの例証的実施形態では、センサは、様々な位置における水の深さおよび／または速度、および／または、水上滑走環境スキム面上における使用者もしくはライダーの速度を検知し、さらに、特定のセンサの上流にある特定のノズルからの流れを変更させることで、スキミング液５を所望の深さと流量で提供する。さらに、複数の分与部４５、複数の分与部４６、水平または笠木状ディスペンサ５５、またこれらに関連した任意のポンプおよびノズルも同様に、手動で、あるいは自動的に制御できる点を理解されたい。さらに、複数の分与部４５、複数の分与部４６、水平または笠木状ディスペンサ５５、これらに関連した任意のポンプとノズルの制御も、上でノズル４７に関連して説明したものと同様にセンサによって変更することができる。
【００５０】
複数の分与部４６の各表面端部は、表面部材４０の表面の断面形状を有する。この断面形状は全ての分与部４６について同一でないことが好ましい。図９Ａに示すように、分与部は、矩形と円形の２種類の断面形状の開口を有することが好ましい。複数の分与部４６の矩形開口は全体的に表面部材４０の急勾配区間付近に配置され、表面部材が平坦に近づくに従ってその数が減少してゆくことが好ましい。円形の複数の分与部４６は、表面部材４０が水平区間へ移行を始めると同時に全体的にその数が増えている。矩形と円形の複数の分与部４６の組み合わせは、装置１０の急勾配度、即ち、水上滑走環境を維持するために表面部材が水平に向かう速さに合わせて調整される。ハーフパイプ、クォータパイプ、ビッグエア、ランプ・トゥ・ランプ、半円錐台のようないくつかの実施形態では、水上滑走環境スキム面の勾配が急な区間および／または垂直な区間では液体ディスペンサの数を、使用者またはライダーが実行する操作の種類に関する嗜好に応じて減少できる点を理解されたい。
【００５１】
笠木状ディスペンサ５５は複数の分与部４５と設計が類似する。笠木状ディスペンサ５５は、表面部材４０の第１端部５８に沿って配置される。図１および図９Ａに示すように、笠木状ディスペンサ５５は第１端部５８のほぼ全幅に沿って延びていることが好ましい。笠木状ディスペンサ５５の構造は複数の分与部４５と同一である。
【００５２】
図９Ｂは表面部材４０の背面図、あるいは図９Ａに示した特徴の裏面である。供給ライン８３が供給液５を供給管４８に送ると、次に供給管４８がこの供給液５をノズル４７に送る。図９Ｂに示すように、液体５の供給はマニホールド式に行われる。供給ライン８３を上述とは別の形状に配列して、液体５を当技術分野で一般的な形式で供給ライン４８へ送ることもできる点を理解すべきである。この例証的実施形態でのマニホールド式液体供給の供給量は、使用するラインの直径と供給される水の容量とに基づいて事前に所定量に設定されている。他の例証的実施形態では、マニホールド式液体供給は手動で、電気的に、またはその両方を組み合わせて制御される点を理解されたい。さらに、別の例証的実施形態では、液体ディスペンサを液体供給部に直接つないでマニホールドをバイパスしたり、マニホールドを全て取り除いてしまうこともできる。
【００５３】
第３層またはスキム面４３は表面部材４０の外面を形成し、この外面上をスキミング液５が流れる。本実施形態では、スキム面４３は繊維ガラス材料でできている。他の様々な例証的実施形態では、スキム面は別の材料、例えばポリマー複合体、ゴムで被覆した材料などでも形成できることを理解されたい。スキム面４３とは、使用者またはライダー１が、特殊な用具（以下でさらに詳細に説明する）を用いて、表面部材４０に沿ってスキミング液５上を水上滑走するエリアである。
【００５４】
図９Ａおよび図１０に示すように、第３層またはスキム面４３は、滑らかなエリアと、複数の隆起部およびコブ５７を含むエリアとを含む。隆起部５７はその断面が円形であることが好ましい。他の様々な例証的実施形態では、例えば三角形、菱形、楕円形といった円形以外の形状も利用できる点が理解されるべきである。複数の隆起部５７は、運動操作を実行中であるライダー１が、スキム面４３から離れた後再び水上滑走環境を確立する上で補助となる。特に、ライダー１が操作実行後に傾斜路装置１０に着地する時に、傾斜路１０着地から生じた過剰な力によってライダー１の下の液体５が変位する傾向にある。しかし、ライダー１は隆起部の頂部に着地しても、この隆起部はスキム面４３よりも高いため、液体５はライダー１の下で流れ続けることができ、ライダー１が水上滑走環境へ迅速に戻れるよう補助する。他の例証的実施形態では、スキム面はその一部または全体が滑らかに作られている点を理解されたい。平坦な領域ではスキミング液５が深く溜まり易く、ライダーの着地によって全ての液体５がより深いエリアへ移動してしまうことはないようなので、本発明では、複数の隆起部またはコブ５７が、表面部材４０のより急勾配な部分、あるいは勾配が移行する部分のみに場合により設けられている。平坦な領域での液体の深さは、使用者の嗜好、水上滑走スポーツ規律、使用者が実行する操作、さらに、人工、天然またはその両方を組み合わせた液体供給部あるいは実施形態に関連した水上滑走実施形態の使用に応じて、１／２〜６インチ（１２．７ｍｍ〜１５２．４ｍｍ）またはこれ以上であることが好ましい。水上滑走実施形態を、海、湖、川のような天然の液体供給部、あるいはプールやタンクのような人工の液体供給部と併用した場合には、液体の深さを６インチより深くしても、効率的な水上滑走環境を使用者に提供する点を理解されたい。さらに、使用者の嗜好、水上滑走スポーツ規律、使用者またはライダーが実行する操作に応じて、液体の深さを、より平坦または水平な領域から、丸みや角度のついた領域または垂直領域へ移行するに従って次第に減少させることができる点も理解されたい。ライダーは重力によって装置の下の方へと引き下ろされるので、より少ない量の液体で水上滑走環境を維持できるという考えから、傾斜路タイプの装置の上に行くに従って液体の深さを徐々に浅くしてゆくことが容易になる。したがって、本発明により製造した水上滑走装置の勾配が急な領域では、傾斜路／装置の角度と組み合わされた重力が、勾配の緩やかな領域においてよりもライダーをより急速に落下させることができるので、急勾配領域では液体は少なくてすむ。
【００５５】
図１０に示す実施形態では、複数の隆起部５７の各々は、直径５８と、スキム面４３を超える高さとを含む。直径５８は、１／８〜１／２インチ（３．１８ｍｍ〜１２．７ｍｍ）であってよい。高さは、１／８〜３／８インチ（３．１８ｍｍ〜９．５５ｍｍ）であってよい。本実施形態において好ましい直径５８は１／４インチ（６．３５ｍｍ）、好ましい高さは１／３２インチ（０．７９４ｍｍ）である。他の様々な例証的実施形態では、高さと直径を、使用者の嗜好、使用する水上滑走実施形態の種類とサイズ、実行する操作の種類、使用の水上滑走装置の種類に応じて変更できる点を理解されたい。例証的な一例では、高さ２０フィート（６０９．６ｃｍ）のプラットホーム２１９でクォータパイプのトランジション（移行）領域に用いる高さと直径は、高さ１２フィート（３６５．７６ｃｍ）のプラットホーム２１９でクォータパイプのトランジション領域に用いる高さと直径よりも大きい点が理解されるべきである。さらに、ハーフパイプ、クォータパイプ、半円錐台のような様々な水上滑走実施形態の高さと直径は、実施形態の半径トランジション領域内の高さと直径よりも大きく、また、半径が水上滑走面の垂直領域へ移行するに従って高さと直径は減少する点を理解すべきである。
【００５６】
第１層４１は、第３層またはスキム面４３を支持する。本実施形態では、第１層４１は合板製であることが好ましい。しかし、他の様々な例証的実施形態では、第１層は他の材料、例えば金属、コンクリート、繊維ガラス、ゴム、プラスチック、ポリマー、ＰＶＣ、Ｐ−Ｔｅｘ、複合材料、および射出成形物、鋳物、形成物であってもよいことを理解されたい。
【００５７】
第２層４２は、第１層と第３層の間の保護バリアである。本実施形態では、第１層４１は可撓性の液体透過性ポリマーである。しかし、他の様々な例証的実施形態では、第２層は金属、繊維ガラス、樹脂、プラスチック、ゴム、ポリマー、複合材料、またはこれらの組み合わせから成っていてよい点を理解されたい。
【００５８】
図１および図２に示すように、表面部材４０は、傾斜路または下り斜面構造を含む。表面部材４０は、これがプラットホーム１９の支持構造１５の頂部と結合する場所から延び、その端部５９にて終端する。この構造では、図１Ａに示すように、表面部材４０は貯液エリア５０を含む。他の様々な例証的実施形態では、スキム面上に配置した追加のガンネルを表面部材に設けることでレーン、走路、またはコースを形成し、複数のライダー１が装置を使用できるようになっている点を理解すべきである。さらに、他の例証的実施形態では、別の既存の構造、例えばデッキ、踊り場、屋根、橋、足場などをプラットホームとすることができる点が理解される。
【００５９】
本発明の他の例証的な実施形態では、スキム液およびスキム面を支持する表面部材は、上述のように３つの層から成るのではなく一体構造であっても良い点が理解される。図５は、表面部材４０Ｘの代替的実施形態の断面図を示す。表面部材４０Ｘは表面部材４０と類似する。この表面部材４０Ｘは、スキム面４３Ｘ、複数の側部４４Ｘ、分与部４５ＡＸ、４５ＢＸ、分与部４６Ｘを含む。表面部材４０Ｘはノズル４７Ｘと供給ライン４８Ｘも含む。単体実施形態は、射出成形の技術分野で一般的な各種材料を射出成形したものであってよい点を理解されたい。また、射出成形により得た実施形態は、「タイル」あるいはエンド・ツー・エンド構造形態に単数または複数で使用できる点も理解されたい。さらに、本実施形態を、木材、金属、コンクリート、足場で製造した従来の支持システムおよび構造物によって支持するか、あるいは、陸地やコンクリート、あるいは、スケートボード、スノーボード、雪上スキーに用いるような既存の従来型アクションスポーツ装置といった別の十分な支持部の上に設置することが可能な点も理解されるべきである。射出モジュール式ユニットは、内部に配管を設けるか設けないに関係なく成形できる点を理解されたい。
【００６０】
表面部材４０Ｘは、一体または単体構造である点において表面部材４０と異なる。本実施形態では、表面部材は射出成形法で形成することが好ましい。図６は、図５中の線６−６における表面部材４０Ｘの側断面図を示す。図５および図６に見られるように、表面部材４０Ｘは、表面部材４０で用いられる３つの別個の層を含んでいない。表面部材４０Ｘの場合には、３層を組み合わせて一体構造としている。表面部材４０Ｘに関連した配管特徴のいくつか、例えば分与部４５ＡＸおよび４５ＢＸ、ノズル４７Ｘ、供給ライン４８Ｘは単体型の一体構造の外部に設けられる一方で、分与部４６Ｘは構造内に組み込まれ、好ましくはそこから外部へ延びてノズル４７Ｘと接続する点を理解されたい。
【００６１】
図７は、表面部材４０Ｙの別の代替実施形態の断面図を示す。表面部材４０Ｙは表面部材４０および４０Ｘと類似する。この表面部材４０Ｙはスキム面４３Ｙ、複数の側部４４Ｙ、分与部４５ＡＹおよび４５ＢＹ、分与部４６Ｙを含む。表面部材４０Ｙは、さらに供給ライン４８Ｙを含む。本発明により製造した表面部材はいずれも、射出成形の技術分野において一般的な各種材料を射出成形したものであってよい点を理解されたい。さらに、射出成形によって得た実施形態は、「タイル」あるいはエンド・ツー・エンド構造形態において単数または複数で使用できる点も理解されたい。射出成形によって得た実施形態は、「タイル」あるいはエンド・トゥ・エンド構造形状にて単数または複数で使用できる点も理解されたい。さらに、本実施形態を、木材、金属、コンクリート、足場で形成した従来の支持システムおよび構造物によって支持するか、あるいは、木材、金属、コンクリート、足場で形成した別のシステムおよび構造物の上に設置したり、陸地やコンクリート、あるいは、スケートボード、スノーボード、雪上スキーに用いるような既存の従来型アクションスポーツ装置といった別の十分な支持部の上に設置したりすることができる点も理解すべきである。
【００６２】
表面部材４０Ｙは射出成形により形成され、全ての分与部４５ＡＹ、４５ＢＹ、４６Ｙ、並びに弁４７Ｙ、さらに供給ライン４８Ｙの各部は表面部材４０Ｙ内部に鋳造されている点で表面部材４０と異なっている。これに加え、側部４４ｙは、表面部材４０Ｙと一体に形成されていることが好ましい。図８は、図７中の線８−８における表面部材４０Ｙの側部断面図を示す。図７および図８に見られるように、表面部材４０Ｙには内部に鋳造された全ての構成部品が含まれている。
【００６３】
これに加え、表面部材４０Ｘおよび４０Ｙは、以降で部材４０’’について図１６に関連して説明するように、連結させて表面部材を形成する複数のモジュール部分によって構成できる点を理解されたい。これらは図示にはないが、表面部材４０、４０Ｘおよび４０Ｙはパズルのピースに似ており、必要に応じてこれらを支持構造１５上に嵌め合わせて組み立てられる。射出成形で形成した図５〜図８の実施形態の構造物によって、このような複数のモジュール区間をつなぎ合わせて使用する便利な応用が可能となることを理解されたい。さらに、モジュール区間を使用する射出成形実施形態では、各モジュールユニットの側部、頂部、底部に、隣接するモジュールに接続するための配管取り付け具が含まれる点も理解されたい。これらの配管取り付け具は、図５および図６に示すような実施形態では射出成形構造物の外側に設けられ、図７および図８に示すような実施形態では射出成形構造物の内部に鋳造された上で外側へ延びた形となる。さらに、射出成形実施形態の場合には、表面部材の表面の改造がより容易になる点を理解されたい。例えば、本発明により製造した装置のいずれの実施形態の表面部材の表面も波形またはほぼ平坦であってよい。さらに、表面部材の全体形状は様々な形状であってよい。
【００６４】
貯液エリア５０は長さを有する。貯液エリア５０は、ライダー１が表面部材４０のスロープ区間からより水平な区間へと移るトランジションエリアである。表面部材４０を流れ落ちる液体５はこの貯液エリアに溜まる傾向にある。貯液エリアは、スキム面４３のスロープを滑降したライダー１が、所望であればエネルギーを散逸させられる区間である。この長さは、ライダーが利用する装置の水上滑走環境スポーツアクティビティ規律、ライダーが実行する操作、ライダーのパフォーマンス、ライダーの技能に従って求める、または計算することが好ましい。この長さ寸法はこれらの要素に限定される必要はなく、また使用者が所望するものであってよい。さらに、別の例証的実施形態では、貯液エリアをさらに長くして、川や海のような天然の液体域と合流、またはこれに流入できるようにする。また、貯液エリアは直線区間に限定されるものではなく、いくつかの他の実施形態では実際に非直線形状である。貯液エリア５０は、液体５を液体供給部８２へ戻すための複数の排液部８５を含む。また、貯液エリア５０は複数の分与部４５および４６のうちのいくつかを有する。さらに、この例証的実施形態では、液体５は貯液エリア５０内へ流れ、使用者の嗜好に応じて１／２インチ（１２．７ｍｍ）から約６インチ（１５２．４ｍｍ）の範囲の深さに貯留できるようになっている。使用者１が望めば、６インチ（１５２．４ｍｍ）を超える高さにまで液体を溜めることも可能である。本実施形態は、表面部材４０の端部５９付近に配置した複数の排液部８５を含むものの、他の様々な例証的実施形態では、シュート、とい、水路、溝（これらに限定はされない）のような当技術分野で一般的な別方法を用い、戻り流と連通させることで、液体５を流体供給タンク８２へ戻すこともできる点を理解されたい。さらに、排液部は水上滑走表面の様々な場所に設けられ、戻りラインと連通させることができる点も理解されたい。
【００６５】
さらに本発明では、表面部材４０に流す液体または流体５の流量を手動で、あるいは当技術分野で一般的なコンピュータプログラムを使用して自動的に制御することも考えられる。これに加え、ライダー１が表面部材４０に沿った特定の場所を通過すると作動する形式の当技術分野で一般的である電子トリガおよびセンサを設ければ、流体の流量をリアルタイムに制御することもできる。作動したセンサは、ライダー１の嗜好に従って事前に設定されたパラメータに基づいて、ライダー１の下流における流量を増減する。
【００６６】
液体（本実施形態では水である）の流量は、貯液エリア５０までの距離にかけて、スキム面４３上に水が少なくとも１／２インチ（１２．７ｍｍ）の深さで溜まることができるように制御される。所望の流量は、ライダーの体重、使用する乗り物用具の種類および表面エリア、表面部材４０の急勾配度、使用する液体の密度、ライダーの経験を考慮して決定しなければならない。ライダーの体重が重いほどより多くの液体の流れが必要になる。傾斜路の勾配が急であるほど、水上滑走環境の維持に必要な液体の流れは少なくて済む。液体の密度が高いほど必要な液体の流れは少なくて済み、また、ライダーの経験が豊富であるほど必要な液体の流れは少なくて済み、さらに、乗り物用具の表面エリアが大きいほど、水上滑走環境を維持するために必要な液体の流れは少なくて済む。
【００６７】
装置１０は、スキミング表面を提供するべく本発明により製造したこれと類似する複数の装置と共に使用することができる。こうした他の装置は、相互におよび装置１０と様々に組み合わせて使用できるモジュール式の追加物と考慮できる。
【００６８】
図１Ｂを参照すると、頂面の略図または概略が示されている。プラットホーム１９と水平基準の間には角度９０が形成されている。角度９０の好ましい角度は約３〜７度である。この角度９０によって、ライダーはいきなり落下するのではなく、傾斜路の急勾配部分へ入り易くなる。しかし、この角度９０に０度を採用できるようにする他の例証的実施形態もある点を理解されたい。表面部材４０と水平基準の間に角度９４が形成されている。この角度９４は約１５〜８５度であることが好ましい。さらに好ましくは約２３〜７０度である。この角度９４により、ライダーが表面部材４０の頂部を流れる液体の上で水上滑走できる形で重力をライダーに対して作用させることが可能となる。角度９４は０度であってもよい点を理解されたい。ライダーは流れる液体よりも速い速度で装置を降下する。本発明では重力を利用することで、ライダーが水上滑走乗り物用具に乗って装置を斜滑降で降下できるようにし、また、表面部材４０上に液体を使用することで、水上滑走を介して斜滑降を行えるようにする。
【００６９】
装置１０の急勾配傾斜部分と貯液エリアとの間の区間はトランジション区間９４と呼ばれる。このトランジション区間には、半径９６が設けられている。トランジション半径９６は、プラットホーム１９の高さ９８が約２３フィート（７０１．０４ｃｍ）である場合に、約１４フィート（４２６．７２ｃｍ）とすることが好ましい。高さ９８は、プラットホーム底部の垂直高さ付近から貯液エリアの垂直高さまでの距離で測定される。トランジション半径９６までのさらに好ましい高さ９８は次のとおりである（高さ−半径）：高さ約３〜７フィート（９１．４４ｃｍ〜２１３．３６ｃｍ）半径約７フィート（２１３．３６ｃｍ）、高さ約７〜１２フィート（２１３．３６ｃｍ〜３６５．７６ｃｍ）−半径約１０フィート（３０４．８ｃｍ）、高さ約１２〜２０フィート（３６５．７６ｃｍ〜６０９．６ｃｍ）−半径約１４フィート（４２６．７２ｃｍ）、高さ約２１〜６０フィート（６４０．０８ｃｍ〜１８２８．８ｃｍ）−半径約１５〜２３フィート（４５７．２ｃｍ〜７０１．０４ｃｍ）、高さ約６１から１００超のプラスフィート−高さの約３０％〜３３％。半径はライダーの技能レベル、力強さ、実行する操作／トリック、水上滑走実施形態の種類またはスタイルに合わせて設計することができる。半径を小さくすると、ライダーにかかる力がより大きくなる。
【００７０】
図１４および図１６を参照すると、ジャンプモジュール１１および着地モジュール１２の例証的な実施形態を示す。ジャンプモジュール１１と着地モジュール１２は任意である。これらのモジュールはドロップインやスロープに、あるいは傾斜路のみにも使用できる。ジャンプ部１１は支持構造１５’と表面部材４０’を含む。支持構造１５’は、その構造が支持構造１５と類似する。支持構造１５’は支持構造１５と同様に筋交いと支柱（図示はない）を含む。支持部材１５’は、支持構造１５の高さ２１よりも低い高さ２１’を有する。傾斜路と比較したジャンプの高さは、使用者またはライダーの嗜好、使用者またはライダーが実行する操作、実施形態の位置、使用者またはライダーの技能に従って調整される点を理解されたい。さらに、傾斜路の高さと比較したジャンプの高さは、様々なアクションエクストリーム水上滑走操作を実行する上で、使用者またはライダーがエア、より高いエア、または「ビッグエア」を成功させる嗜好を十分許容できるもの、また、当業者が決定できるものであってよい点も理解されるべきである。様々な実施形態では、着地モジュール高さに対するジャンプ高さの比率は、傾斜路高さの６０〜８０％のジャンプ高さとなる。いくつかの実施形態では、ジャンプ高さと傾斜路を等しい高さにすることができる。さらに、より小規模の、あるいは使用者または選手の技能がビギナーレベルである場合の様々な実施形態では、着地モジュールをジャンプの高さよりも低く設けることが可能である。支持構造１５’は側部パネル２２’を含み、図１４では１枚のみを示すが、反対側にも同等の側部パネルが設けられている。
【００７１】
表面を液体５が流れるスキム面４３’を提供することで、ライダーが液体５上をスキミングできるようにするために、ジャンプ部１１の表面部材４０’は表面部材４０の全ての特徴を含む。本実施形態において表面部材４０’は図３、図４、および図９Ａに示した表面部材４０と同様に、第１層または支持層と、第２層またはバリアと、第３層またはスキム面４３’とを備える。表面部材４０’は幅５１’を有する。この幅は複数の側壁４４’によって形成されている。本実施形態における複数の側壁４４’は、スキム面または水上滑走領域４０’の境界を形成するガンネルである。表面部材４０’はさらに長さを有する。この長さは支持構造１５’の頂部との結合部分から端部５９’まで延びている。ガンネルまたは液体バリア部分は実施形態のフィールド表面エリア内に配置してレーン、走路、コースを形成しても、水上滑走実施形態の提供および使用が可能である点を理解されたい。
【００７２】
これに加え、表面部材４０’はさらに複数の分与部４５’および複数の分与部４６’を含む。これらの特徴は上述した表面部材４０のものと類似する。使用者またはライダーの嗜好、水上滑走スポーツ規律またはアクティビティ、使用者またはライダーが実行する操作に応じて、分与部４５、４６の数を減らしたり、省略したりすることができる点を理解されたい。
【００７３】
図１５に示すように、表面部材４０’の複数のディスペンサ４５’は、図１３に示す表面部材４０の雌端部５３、表面部材４０の複数のディスペンサ４５と係合するべく動作するように構成された雄端部４９’を含む。本実施形態では、雄端部４９’は差し込みピンタイプの取り付け具である。しかし、他の様々な例証的実施形態では、これ以外の、当技術分野で一般的な密封可能な取り付け具を使用できる点を理解されたい。
【００７４】
取り付け具４９’を端部５３に挿入すると、傾斜路１０とジャンプ部１１が連通する。取り付け具４９’は雌端部５３に取り外し可能に接続される。液体循環システム８０がジャンプ部１１に液体５を供給することで、ジャンプ部１１のスキム表面４３’上に水上滑走環境が作られる。本発明では、ジャンプ部１１と着地傾斜路１２のそれぞれに独立した液体循環部材を設け、装置１０の液体循環システム８０に接続しない方法も考えられる。使用者またはライダーの好みで、ジャンプ部１１水上滑走モジュールを傾斜路、着地傾斜路、または短縮版のクォータパイプとしても使用できる点を理解されたい。
【００７５】
着地モジュール１２はジャンプモジュール１１および装置１０と同様である。着地モジュール１２は、使用者またはライダーの嗜好、水上滑走コース設備、使用者またはライダーが実行する操作、あるいはこれらの任意の組み合わせに応じて、傾斜路、ジャンプ部、ドロップインとしても使用できる点を理解されたい。図１６を参照すると、着地モジュール１２の例証的な実施形態を示す。この着地モジュール１２は支持構造１５’’および表面部材４０’’を含む。支持構造１５’’はその構造が支持構造１５と類似する。支持構造１５’’は、支持構造１５と同様に筋交いと支柱を含む（図示せず）。この支持部材は高さ２１’’を有するが、この高さ２１’’は支持構造１５’の高さ２１’よりも低いことが好ましい。使用者またはライダーの嗜好、参加する水上滑走スポーツの規律、実行中操作の種類、使用者またはライダーの技能、またはこれらの任意の組み合わせに応じて、着地傾斜路水上滑走モジュールとして使用するモジュール１２の高さをジャンプ部１１モジュールよりも低く、同じく、もしくは高くすることが可能である。着地傾斜路モジュールの高さは、先述した局面と、本願明細書中で述べる水上滑走の流れとを計算に入れて、当業者によって計算される。支持構造１５’’は、側部パネル２２’’を含む。図１６では１枚のみを示すが、反対側にも同等の側部パネルが設けられている。
【００７６】
着地モジュール１２の表面部材４０’’は表面部材４０の特徴を全て含む。本実施形態では、図１１に示すように、表面部材４０’’は第３層またはスキム面４３’’、ガンネル４４’’、複数のディスペンサ４５″、複数のディスペンサ４６’’を備える。さらに第１層または支持層および第２層またはバリアも含むが、図示していない。表面部材４０’’は幅５１’’を有する。この幅５１’’はガンネル４４’’によって形成される。ガンネル４４’’は、スキム面または水上滑走領域４３’’の境界を形成する。表面部材４０’’はさらに長さを有する。この長さは、表面部材４０’’が支持構造１５’’の頂部と結合する場所から表面部材４０’’の端部５９’’まで延びている。モジュール１２の上方部に配置されているガンネル４４’’を上下に調整することで、水上滑走面上に設ける液体の深さを制御できる点を理解されたい。
【００７７】
これに加え、表面部材４０’’は複数の分与部４５’’、複数の分与部４６’’、貯液エリア５０’’を含む。これらの特徴は上述した表面部材４０のものと類似する。本発明のオプションとして、モジュール１２は、実施形態モジュール１２の上方水平部分にかけて液体ディスペンサ（図１０）を使用できる点を理解されたい。
【００７８】
着地モジュール１２は、複数の排液部８５’’、液体供給ライン８３’’、および液体戻りライン８４’’をさらに含む。供給ライン８３’’は、装置１０の供給ライン８３と連通する。排液部８５’’は貯液エリア５０’’内に配置され、戻りライン８４’’と連通する。戻りライン８４’’はこれ自体が装置１０の戻りライン８４と連通する。貯液エリア５０’’は、ライダーのエネルギーを散逸するのに十分な長さを有する。貯液エリア５０は他の水上滑走モジュールと共に使用することもできる点を理解されたい。さらに貯液エリア５０は、湖、川、海、小川のような天然液体供給域、または、プール、タンク、人工池などの貯水場や人口液体供給域を使用し、かつ他の実施形態と接続する、一方の端部上に設けられた開口と共に使用することもできる点を理解されたい。
【００７９】
装置１１および１２の表面上に用いる液体は、これらの装置の使用目的によって異なる。着陸用に使用する場合には、装置の頂部またはより高い部分でより多くの水を必要とし、ジャンプ用に使用する場合には頂部ではそれほど多くの水は必要ない。これら装置の上方のより平坦な部分は、表面上に液体を約３〜５インチの高さで設けることが好ましい。角度付けした表面エリアへ移行する「上方」半径での液体の深さは約２〜３インチ（５０．８ｍｍ〜７６．２ｍｍ）であることが好ましい。水平（貯液）エリアへ移行する「下方」半径での液体の深さは約２インチ（５０．８ｍｍ）であることが好ましい。水平な貯液エリアでの液体の深さは約３〜５インチ（７６．２ｍｍ〜１２７ｍｍ）であることが好ましい。液体ディスペンサとポンプ流量は、達成する異なる区間に所望される液体の深さに応じて調整される。トランジション「上方」半径と角度表面エリアの角度とは、ジャンプ部から実施形態に着陸する際の使用者の（高さ、距離、着地角度）で、アーチ状となるように設計される。以下で図２０を参照して開示する代替的な側部排液システムをこれらの装置と共に、さらに装置の上方区間においても利用することができる。
【００８０】
再び図１６を参照すると、装置１２はさらに複数のモジュールユニットまたはタイル９９’’を含む。このモジュールユニット９９’’を相互に嵌合させることで表面部材４０’’の表面が形成される。モジュールユニット９９’’は概して矩形である。他の例証的実施形態では、モジュールユニットの形状とサイズは多様である点を理解されたい。モジュールユニットには、液体流体スキム面を支持するための剛性の支持枠が設けられていることが好ましい。この支持枠部材は金属、木材、プラスチックで構成することが好ましい。支持枠には、隣接する他のモジュールユニットに固定具で接続できるようにするための取り付け点を設けることが好ましい。モジュールユニットは、所望の用途および配列に応じて、多様な形に配列することが可能であり、また、端部、側部、あるいはこの両方にて相互に接続することができる。モジュールユニットには、配管システム、密封部、液体流体バリア、スキム面を取り付けるための複数の取り付け点が設けられていることが好ましい。さらにこのモジュールユニットは、雄および雌接続部のような配管取り付け具と弁を含むことが好ましく、これにより、各モジュールユニットの配管システムを隣接するモジュールの配管システムと嵌合させることが可能になる。いくつかのモジュールの配管システムは、装置全体の配管システムから延びた供給ラインに接続できるようになっている。さらに、モジュールユニットの底面には、モジュールを支持構造に取り付けるための取り付け点が設けられていることが好ましい。これらのタイプのモジュールユニットまたはタイルは、本発明により製造した様々なアクション水上滑走装置のいずれとも併用することができる。
【００８１】
図１７を参照すると、装置１０用のボックスモジュール１３を示す。このボックスモジュール１３は支持構造１５’’’と表面部材４０’’’を含む。支持構造１５’’’は、上述した支持構造１５と類似の特徴を含み、例えば、筋交い１６’’’と支柱１７’’’、高さ２１’’’および側部部材２２’’’を含む。他の例証的実施形態では、液体ディスペンサ４５’’’はボックスモジュール１３の側部に固定することができ、その状態でも表面エリア４３’’’に液体の供給を行う点を理解されたい。ボックスモジュールが側部に搭載されていれば、ボックスの幅が狭い場合に、ライダーが装置の長さに対して垂直に位置するスキーやボードを装着した状態で装置に乗っている時でも、ディスペンサを擦ることなく装置上を水上滑走することが可能となる。表面部材４０’’’は上述した支持構造４０と類似の特徴を含み、例えば、スキム面４３’’’、幅５１’’’、長さ５２’’’および複数のディスペンサ４５’’’を含む。他の例証的実施形態では、表面部材４０’’’は装置１０の複数のディスペンサ４６と似た表面ディスペンサを含んでもよい。ボックスモジュール１３は、使用者またはライダーの好みに合わせて１つのまたは複数のディスペンサ４６を有する特徴を含んでもよい。さらに、他の例証的実施形態では、排液部８５’’’はオプションであり、液体は単純に装置の一側部または複数の側部上を流れてといに捕獲され、供給ラインに戻される点を理解されたい。
【００８２】
本実施形態では、ボックスモジュール１３は概して矩形であり、供給ライン８３’’’、戻りライン８４’’’および排液部８５’’’を含む。供給ライン８３’’’は装置１０の供給ライン８３と、および戻りライン８４’’’は同じく装置１０の戻りライン８４と連通する。
【００８３】
ボックスモジュール１３は、水上滑走コース設定、使用者またはライダーの嗜好、水上滑走スポーツ規律の種類、使用者またはライダーが実行する水上滑走スポーツのスタイルに応じて、様々な構成にて、また他の水上滑走実施形態と共に使用することができる。上記のライダーが実行する水上滑走スポーツのスタイルには例えば、カスケード・ステアステップ・スロープスタイル、ストリート、パークや、またはこれらの任意の組み合わせがある。一例では、ボックスモジュールを、上述した装置１０の貯液エリア５０の中に配置できる点を理解されたい。別の例では、さらに、ボックスモジュール１３を図２１の水平カスケードステップ内に配置するか、または特徴的に設けることができる点を理解されたい。さらに、別の例では、使用者またはライダーの嗜好に応じて、ボックスモジュール１３を図１０のジャンプモジュール１１と図１２の着地モジュールとの間に特徴的に設けられる点も理解されたい。
【００８４】
さらに、スノーボーディングとスケートボーディングにおいて一般的なスキー装置、例えば、限定はされないが、フラットレール、ボックス、レインボーレールおよびログスライド（図示せず）を、装置１０および上述した各種モジュールと併用したり、これらと一体に設けたりすることができる。
【００８５】
図１８は、水上滑走エクストリーム・アクション・スポーツ装置１００の斜視図である。装置１００は、従来より、ハーフパイプとして知られているものと形状が類似する。装置１００は、本発明により製造されたアクション水上滑走装置の代替実施形態である。装置１００は上述の装置１０と類似する。装置１００は、支持部材１１５、表面部材１４０、液体循環部材１８０、および貯液エリア１５０を含む。
【００８６】
支持部材１１５は、複数の筋交い１１６、複数の支柱１１７、プラットホーム１１９、安全レール１２０、および高さ１２１を含む。表面部材１４０は第１層（図示せず）、第２層またはバリア層（図示せず）、および第３層またはスキム面１４３を含む。これに加え、表面部材１４０は、装置１０のものと同様の複数のディスペンサ１４５および１４６、隆起部１５７、および幅１５１も含む。上述の装置１０の場合と同様に、液体循環部材１８０はポンプ１８１、液体供給部１８２、様々な配管供給ライン１８３、配管戻りライン１８４、複数の排液部１８５を含む。装置１００は装置１０と同様に、供給ライン１８３と複数のディスペンサ１４６との間で連通した複数の供給管１４８も具備する。
【００８７】
装置１００が装置１０と異なる一つの点は、例えば支持部材１１５が、「ハーフパイプ」の片側を形成する対向式傾斜路を具備することである。この対向式傾斜路は高さ１２３を有する。装置１００は、図１８および図１９に示すように、対向式傾斜路のための追加のプラットホーム１２４と追加の安全レール１２５も具備する。さらに、支持部材１１５は傾斜路またはスロープの形状に作られていない。代わりに支持部材１１５に採用されているのは、ボウル型や、あるいは、各々が部分アーチ型で半径１２６および１２７を有する対向する２つの側部を設けた一般的にハーフパイプ設計と呼ばれるハーフパイプ実施形態を支持する方法である。
【００８８】
図１８および図１９を参照すると、ハーフパイプ装置１００の高さ１２１および１２３の寸法は同じである。しかし、他の様々な例証的実施形態では、この高さ１２３は使用者１の嗜好に応じて高さ１２１よりも低くあっても構わない点を理解されたい。これに加えて、本実施形態では、図１９に示す半径１２６および１２７が同寸法である。他の様々な例証的実施形態では、半径１２７は使用者の嗜好に応じて半径１２６よりも短くあってもよい点を理解されたい。
【００８９】
装置１００内の貯液エリア１５０は、ライダーがハーフパイプの片側がもう片側へ移動するためのトランジション部分を提供する。これに加えて、貯液エリア１５０は複数の排液部１８５を含む。貯液エリア１５０は長さも有する。本実施形態では、貯液エリア１５０の長さをより短くすることで、使用者が、様々な操作を実行する上で、半径トランジションエリアの途中にある貯液エリアを水上滑走するために実施形態の垂直な水上滑走表面エリアに対する最高高さと運動エネルギーの速度を維持できるようにする。貯液エリアは、使用者またはライダーの嗜好、実行する操作、もしあれば他の水上滑走モジュールとの組み合わせ、使用者またはライダーの技能、あるいはこれらの任意の組み合わせに応じて、短くまたは長く調整することができる点を理解されたい。しかし、他の様々な例証的実施形態では、貯液エリアの長さは使用者の嗜好に応じて長くまたは短くできる点を理解されたい。ハーフパイプの側部の高さは、十分なパフォーマンスまたは操作を提供できるように、さらに、ライダーの嗜好、技能レベル、ドロップインの高さに応じて、最低の高さにする必要がある。さらに、液体の深さを使用者の嗜好に応じて制御するために、貯液エリアの側部の高さは手動で、または自動的に調整できるようになっている点を理解されたい。
【００９０】
装置１００で使用する液体５は水である。液体循環部材１８０は、表面部材１４０上に水上滑走環境を作るために水５を各流量にて提供する。表面部材１４０上に深さ少なくとも１／２インチ（１２．７ｍｍ）の水を設けることが望ましい。貯液エリア１５０内では、水は収集され、複数の排液部１８５内へ排出される。貯液エリア１５０内に収集する水の高さは、使用者の嗜好に応じて１／２〜６インチ（１２．７ｍｍ〜１５２．４ｍｍ）であってよい。水の高さは、上で先述した条件に応じて変更できる点を理解されたい。さらに、様々な水上滑走実施形態を使用する場合、貯液エリア内または実施形態の端部における水の高さは、例えば、装置１００を自然の川、湖、小川、または海と共に使用する際や、人工の液体プールやタンクなどを使用する際には上述よりも高くてよい点を理解されたい。液体の流量と深さは、ハーフパイプの両側について計算する。各側面の流量と深さを同一にする必要はない。様々なハーフパイプの実施形態では、液体の深さを調整するために、ハーフパイプの側壁またはガンネルを上下に調整できるようになっている点を理解されたい。さらに、ハーフパイプの両側に複数の配管システムまたは同一の配管システムを利用することができる点も理解されたい。
【００９１】
図２０は、水上滑走エクストリーム・アクション・スポーツ装置２００の斜視図を示す。装置２００は、本発明により製造したアクション水上滑走装置の代替実施形態である。この装置２００はクォータ・パイプ・タイプの傾斜路である。装置２００は上述した装置１０および１００と類似し、これらと類似の特徴を持つ。装置１０、１００との一番大きな違いはその形状である。装置２００は支持部材２１５、表面部材２４０、液体循環部材２８０および貯液エリア２５０を含む。さらに、装置１０と同様に、供給ライン２８３、複数のディスペンサ２４６および笠木ディスペンサ２５５の間で連通する複数の供給管（図示せず）を設ける。
【００９２】
支持部材２１５は複数の筋交い２１６、複数の支柱２１７、プラットホーム２１９、安全レール２２０、および高さ２２１を含む。これに加えて、これに加えて、表面部材２４０は第１層（図示せず）、第２層またはバリア層（図示せず）、および第３層またはスキム面２４３を含む。表面部材２４０は、装置１０、１００と同様に複数のディスペンサ２４５、２４６、隆起部２５７、および幅２５１を含む。液体循環部材２８０は、上述の装置１０および１００と同様にポンプ２８１、液体供給部２８２、様々な配管供給ライン２８３、配管戻りライン２８４、複数の排液部２８５をも含む。装置１００と同様、装置２００も図２１に示すように半径２２６を有する。液体供給部の高さが排液部の高さと等しいまたはこれよりも高い場合には、ポンプ２８１を使用して液体を液体供給源に戻すようにされている点を理解すべきである。様々なクォータパイプ実施形態における側壁またはガンネルは使用者の嗜好に合わせて手動で、あるいは自動的に上下に調整できるようになっている点を理解されたい。さらに、装置２００は、装置１０を含め別の実施形態と併用できる点も理解されるべきである。また、装置１０は、配管システムはさらに、当業者に知られている適切なサイズのポンプとポンプシステムを装置２００に供給できる点も理解されるべきである。クォータパイプ装置２００は装置１０と併用して、使用者またはライダーがドロップイン装置１０を滑降して貯液エリアを通過し、次に、操作またはトラックを実行しながらクォータパイプを上昇し、その後再び滑降して貯液エリアを通過できるようになっていることが好ましい。
【００９３】
装置２００と装置１００の違いの一つは、装置２００が１つの半径またはアーチしか有していない点である。
装置２００の貯液エリア２５０では、ライダーが水平部分２５０から半径または垂直エリアへ、そして再び水平部分２５０へと戻るためのトランジション部分を提供する。装置２００の様々な使用においては、貯液エリア２５０は、ライダーがプラットホーム２１９から半径部分にドロップインして水平部分２５０へ到達するためのトランジション部分となる点を理解されたい。これに加えて、貯液エリア２５０は、複数の排液部２８５を含む。貯液エリア２５０はまた長さを有する。この貯液エリア２５０の長さは、装置１００の貯液エリア１５０の長さと類似する。装置２００のいくつかの多様な使用においては、貯液エリアは装置１０の貯液エリア５０とより類似していてよい。本実施形態では、貯液エリア２５０の長さは、実施形態を使用する場合のドロップインの高さと、さらに使用者またはライダーの技能とに応じて８〜１２フィート（２ｍ４４ｃｍ〜３ｍ６６ｃｍ）である。ハーフパイプ、クォータパイプ、半円錐台の実施形態全てにおいて、 トランジション半径の開始点からの貯液エリアの最短の長さは、ドロップイン、スロープ、傾斜路の高さの少なくとも１／４であることが好ましい。しかし、他の様々な例証的実施形態では、使用者またはライダーの嗜好、技能、実行する操作に応じて、貯液エリアの長さを長くまたは短くできることを理解するべきである。
【００９４】
本発明では、貯液エリア２５０が上述した特徴、例えばジャンプ部１１、着地エリア１２、またはボックス１３を含むことも考えられる。さらに、エクストリーム・アクション・スポーツ業界において一般的な従来型のレール、ログスライド、ボックス、スピン、ジャンプなども、貯液エリア２５０内において使用あるいは展開することができる。貯液エリア２５２は排液とい２８６を含む。この排液とい２８６は液体戻りライン２８４と連通する。また、排液とい２８６により、貯液エリア２５０からの排液に関して、排液部２８５に加えたさらなる排液機能が得られる。液体は装置の１つまたは複数の側部上を流れてといにキャッチされ、供給ラインに戻される。排液といの側部を手動で、または自動的に調整することができる。このタイプの排液といは、本発明により製造された様々な装置のいずれとも併用することが可能である。
【００９５】
装置２００に使用する液体５は水であることが好ましい。液体循環部材２８０は、表面部材２４０上に水上滑走環境を作るべく各流量の水５を提供する。表面部材２４０上に水５を少なくとも１／２インチ（１２．７ｍｍ）の水位で設けることが好ましい。水５は、貯液エリア２５０内に収集された後、複数の排水部２８５内へと排出される。貯液エリア２５０内の水５の水位は、使用者の嗜好に応じて１／２〜５インチ（１２．７ｍｍ〜１２７ｍｍ）であってよい。上述したように、水上滑走実施形態の様々な使用では別タイプの各種液体や、水と混合した材料を用いることができる点を理解されたい。さらに、実施形態２００の他の応用形では、貯液エリアの側壁またはガンネルを上下に調整して液体の深さを制御できる点も理解されたい。
【００９６】
図２２および図２３は、水上滑走エクストリーム・アクション・スポーツ装置３００を示す。この装置３００は、本発明により製造したアクション水上滑走装置の代替実施形態である。装置３００は上述した装置１０および１００と同様である。また、支持部材３１５、表面部材３３４０、液体循環部材３８０が設けられている。さらに装置３００は、装置３００の片側または両側に、半径縁３５５から垂直高さに広がりプラットホーム３９０の縁まで続く垂直側壁エリアを特徴として含むことも可能である点を理解されたい。この垂直側壁の高さは、使用者の嗜好、技能、実施形態のサイズ、実行する操作の種類に応じて様々であってよい。装置３００に使用する垂直側壁エリアは、スケートボードのハーフパイプ、スノーボードまたは雪上スキーのハーフパイプあるいはスーパーパイプの垂直側壁と類似する。
【００９７】
支持部材３１５は、複数の筋交い３１６、複数の支柱３１７、梯子３１８、プラットホーム３１９、安全レール３２０、および高さ３２１を含む。プラットホーム１９（着地、足場など）、およびドロップイン、スタート、トランジションスロープ、または傾斜路は、左側、右側、あるいは両側に、図２２および図２３に示した半円錐台実施形態に対して直線あるいは角度付けして、またはこの両方にて設けることができる点を理解されたい。
【００９８】
装置３００では、装置１０、１００、２００とは対照的に、その長さに沿って第２プラットホーム３９０が配置されている。第２プラットホームは、ライダーが半円錐台型装置へドロップインするための追加の位置となる。この第２プラットホーム３９０は装置３００の両側に配置されていることが好ましい。プラットホーム３９０は、プラットホーム１９が設けられている側と反対の側に、装置３００の全長にわたって設けられ、また、プラットホーム１９と同じ側にあるプラットホームは、装置の長さに沿い、プラットホーム１９のドロップイン、傾斜路、スロープの最上部の高さで設けられている。いずれかの、または両方のプラットホームも側部の全長にわたって配置する必要はなく、また、両方のプラットホームを同時に配置する必要もない点を理解されたい。さらに、第２プラットホームには、少なくとも１つの丸いギャップまたはドロップイン部分３９２が設けられている。このギャップ３９２によって、ライダーはよりなだらかに、またはより高い移行性で半円錐型装置内に入れるようになる。装置３００の、また、本発明で製造された他のアクション水上滑走装置、例えば傾斜路、スロープ、クォータパイプ、ハーフパイプなどの片側または両側に、第２プラットホームおよびその特徴を組み込むことができる点を理解されたい。表面部材３４０は第１層（図示せず）、第２またはバリア層（図示せず）、および第３層またはスキム面３４３を含む。これに加えて表面部材３４０は、装置１０ｔ同様に、複数のディスペンサ３４５および３４６、笠木ディスペンサ３５５、隆起部３５７、および幅３５１を含む。液体循環部材３８０は、上述した装置１０と同様に、ポンプ３８１、液体供給部３８２、様々な配管供給ライン３８３、配管戻りライン３８４、および複数の排液部３８５を含む。装置３００はまた、装置１０と同様に、供給ライン８３と複数のディスペンサ３４６との間で連通した複数の供給管３８３を含む。
【００９９】
装置３００はまた、例えば貯液エリアの代わりに表面部材３４０に半円錐台部分３６０（半とは、つまりその長さに沿って半分に切断された円錐形）を有する点において先述の装置１０、１００、および２００と異なる。表面部材３４０は第１幅３６１と第２幅３６２を含む。第１幅３６１は第２幅３６２よりも大きい。第１幅３６１から第２幅３６２への幅の減少は、装置３００の長さに沿った線形減少であることが好ましい。これに加えて、半円錐台部分３６０は第１高さ３６３、第２高さ３６４を含む。第１高さ３６３は第２高さ３６４よりも高い。第１高さ３６３から第２高さ３６４への高さの減少は、装置３００の長さに沿った線形減少であることも好ましい。実質的に半円錐台形状の他の例証的実施形態では、両側のトランジション半径区間の下方開始部間の貯液エリアを、図示の実施形態よりもさらに水平または「平坦」にすることができる点を理解されたい。より平坦な貯液エリアの場合には、この平坦な範囲が、端部３６５から端部３６６まで装置の長さに沿って漸進的に縮小してゆくことが好ましい。
【０１００】
表面部材３４０は支持部材３１５によって支持されている。図２に示すように、この表面部材３４０は先端を切り落として分岐し、側面を下にして置いた円錐形である。第１高さ３６３、および第１幅３６１は、円錐のより大型の開口または第１端部３６５を示し、第２高さ３６４、および第２幅３６２は、半円錐台部分３６０のより小型の開口または第２端部３６６を示す。第１端部３６５と第２端部３６６はそれぞれガンネル３４４を含む。第１端部３６５は第２端部３６６よりも高く地面から上昇する。これにより、液体５が第１端部３６５から第１端部３６６へ流れる自然な勾配が得られる。半円錐台部分３６０の第２端部付近には複数の排液部３８５が配置されている。本実施形態では、第１端部３６５から第２端部３６６までの高さの差は最小３インチである。しかし、他の様々な例証的実施形態では、その実施形態が使用者またはライダーの技能、実行する操作に応じて自然または人工の山、公園やリゾートで使用される場合に、第１端部と第２端部の高さの差を非常に大きく異ならせることができる点を理解されたい。例えば、プロフェッショナルの使用者またはライダーが使用する場合、全長２００フィートの実施形態にかけての高さの違いは５０フィート（１５２４ｃｍ）またこれ以上であってよい。さらに、これらの比率は、使用者またはライダーの技能および実行する操作に関連した彼等の嗜好に応じて調整できる点を理解されたい。単純に排液エリアのみとして設計された１つのモジュールを含むその他のモジュールを第２端部３６５に隣接して配置することで、装置３００に発生して残存しているエネルギーをライダーが散逸させられる範囲ができる点を理解されたい。
【０１０１】
装置３００に使用する液体は水であることが好ましい。液体循環部材３８０は、表面部材３４０上に水上滑走環境を作るべく各流量の水を提供する。表面部材３４０上に少なくとも1／２インチ（１２．７ｍｍ）の水位の水５を設けることが望ましい。水は半円錐台部分３６０内に収集され、複数の排液部１８５内へ排出される。実施形態の多様な使用において、様々な水または液体は、半円錐台の端部縁３６６に設けられ、液体供給部と連通するシュート、とい、プール、タンク、溝、人工水路内へ流れることができる点を理解すべきである。
【０１０２】
高さ３２１は第１高さ３６３よりも高い。使用時に、ライダー１は第２プラットホーム３９０またはプラットホームエリア３１９（高さ３２１に位置する）からドロップイン、スタートまたは開始して、半円錐台部分３６０内に入る。ライダー１は、トリックおよびまたはスタントを実行しつつ片側からもう片側へ移動しながら、第１端部３６５から第２端部３６６へ進む。半円錐台部分３６０の形状では、重力を利用することで、ライダー１が装置３００の長さに沿って移動する際に連続して加速することができる。ライダーが装置３００を終了したり、装置３００から降りるための貯液エリア（図示せず）を端部３６６に選択的に配置したりすることができる。他の例証的実施形態では、第２プラットホーム着地エリアを半円錐台形装置の両側に配置できる点を理解されたい。第２プラットホーム３２０は、観客、使用者またはライダーのための、あるいは「ハンドプラント」のような操作の実行時に用いるための範囲となる。第２プラットホーム３２０は、半円錐台の反対側にも同じものを設けることが可能である。さらに、半円錐台の様々な使用においては、使用者またはライダーの嗜好、実行する操作、使用者またはライダーの技能に応じて、半径３４５の端部側が垂直区間へと移行する点を理解されたい。またさらに、コースの配置および設定、ライダーおよび使用者の嗜好、技能、実行する操作およびトリックに応じて、実施形態の様々な領域内に液体ディスペンサおよび配管システムを特徴として設けられる点も理解されたい。さらに、他の例証的実施形態では、半円錐台実施形態の半径範囲は、使用者の嗜好に応じて垂直へと移行する点も理解されたい。
【０１０３】
図２４および図２５は、本発明により製造した水上滑走アクション装置４００および５００の例証的実施形態を示す。この装置４００および５００は、上述の装置１０、１００、２００の組み合わせである。装置４００および５００は装置１０、１００、２００に加えてさらにモジュール１１、１２、１３と、これ以外の例えばレール、スパインといったモジュール、あるいはこれらの組み合わせを、様々な使用上の嗜好、水上滑走コース走行設置、使用者またはライダーの嗜好、実行する操作に応じて設けられる点を理解されたい。図２４に示すように、装置４００には水上滑走ジャンプ要素と着地要素の構造が含まれている。この構造は「ビッグエア」、ランプ・トゥ・ランプ、ジャンプ・トゥ・ジャンプ、モジュール・トゥ・モジュール、デバイス・トゥ・デバイス、または「ギャップ」実施形態としても知られている。図２５に示すように、装置５００は、本発明で考察された水上滑走環境を備える、下り坂のエクストリーム雪上スキー／スノーボード場に似せた部品を組み合わせて形成した構造を含む。他の例証的実施形態では、この下り坂の特徴部品を、自然の山や陸地環境、周囲３６０度にわたって広がった人工の山形部品、あるいはこれらを任意で組み合わせたものに対して展開できる点を理解されたい。こうした配列では、ライダー１は頂上へリフトで上がるか、または歩いて登った後に、途中様々な障害物、ジャンプ、レールなどに遭遇しながら任意の方向へ滑り降りる。水上滑走エクストリームスキム実施形態は単体で、または複数使用して、ボーリング場、スケートボード場、さらに、人工あるいは自然を土台とした、またはこれらを組み合わせたスノーボードおよび雪上スキーリゾートと同様の複数のレーンまたは滑走路を構成できる点を理解されたい。図２４および図２５に示す各実施形態は、本発明によって製造した水上滑走環境を提供するために、支持部材、表面部材、液体循環部材を含む。本発明は、上述した装置１０、１００、２００、１１、１２、１３、４００、および３００を組み合わせて、これらを、スケートボード場やスキースロープ、またはアミューズメントパークと同様のエクストリーム・アクション・スポーツ・パーク・タイプの設備に採用することを目的とする。本発明のシステムおよび装置の使用者は、上に挙げた装置や、これ以外の本願明細書で考察される水上滑走環境を利用した任意の装置を、任意の順序または構成にて組み合わせたり、構成したりすることで、所望のエクストリームアクション水上滑走環境を形成することができる。スケートボード場、スキースロープ、アミューズメントパークと同様のエクストリーム・アクション・スポーツ場またはリゾートタイプの設備には、水上滑走実施形態システム、モジュール、射出成形ユニット、構造または製造ユニット、移動式ユニット、またはこれらの任意の組み合わせを採用できる点を理解されたい。さらに、水上滑走実施形態システムは、列車、大型客船、船、飛行機、浮遊構造物、またはこれらの組み合わせといった多様な移動手段に採用できる点も理解されたい。さらに、水上滑走実施形態システムは、他の同じようなアクションスポーツのための既存のモジュールや装置、例えばＢＭＸおよびスケートボード用の自然または人工の傾斜路、野外又は屋内スタジアムおよびアリーナの外野席、スノーボードおよび雪上スキーリゾートのハーフパイプ、スロープスタイル、山に対して、一時的および永久的に採用できる点も理解されるべきである。また、水上滑走実施形態は、既存のアミューズメントパークに設置されている十分な支持力を持ったモジュールおよび装置の上に、好みに応じて一時的または永久的に採用できる点も理解されたい。
【０１０４】
図２６〜図２９は、本発明により製造した、上述の装置１０、１００、２００、３００上で使用する水上滑走ボードＢ１０を示す。このボードＢ１０は長さＢ１１、厚さＢ１２、第１端部Ｂ１３、第２端部Ｂ１４を有する。さらに、ボードＢ１０は第１面または頂面Ｂ２２、第２面または底面Ｂ２３、さらに、頂面Ｂ２２上に配置された第１搭載エリアＢ１５、第２搭載エリアＢ１６を含む。水上滑走ボード装置は、複数の材料層で構造、製造、鋳造したり、こうした方法の任意の組み合わせによって作製したりすることができる点を理解されたい。さらに、水上滑走ボードは、サンドイッチ成形法でハンドレイ材料を多層構造化して製造できることが理解されたい。各搭載エリアＢ１５およびＢ１６は、複数の取り付け孔または取り付けパッドＢ１７を含む。ボードＢ１０の厚さＢ１２は、搭載エリアＢ１５およびＢ１６において厚くなっている部分を除き、長さＢ１１に沿って均一である。本実施形態では、ボードの厚さＢ１２は好ましくは約３／８〜５／８インチ（９．５ｍｍ〜１５．９ｍｍ）、搭載エリアにおける厚さは好ましくは約1／８〜１／４インチ（３．１８ｍｍ〜６．３５ｍｍ）である。しかし、Ｂ１２の厚さは、使用する材料の種類、使用者またはライダーの嗜好、ボードを使用して実行する操作、使用者またはライダーの技能に応じて変更できる点を理解されたい。さらに、使用者またはライダーの嗜好、ボードを使用して実行する操作、使用者またはライダーの技能、ボードの構造または製造に使用されている材料の種類と量に応じて、搭載エリアをボード頂面と同一平面化したり、１／４インチ（６．３５ｍｍ）よりも厚くしたりすることが可能である点も理解されたい。さらに、水上滑走ボードは木材、繊維ガラス、樹脂、接着剤、複合材料から成っている点も理解されたい。さらに、水上滑走ボードは、金属、炭素繊維、合金、木材、繊維ガラス、Ｐ−ｔｅｘ、ゴム、織物のような材料、あるいはこれらの組み合わせから成っていてよい点も理解されたい。
【０１０５】
一見すると、ボードＢ１０は従来のスノーボードのように見える。従来のスノーボードと同様に、ボードＢ１０は、上方へ曲がった、または底面Ｂ２３から頂面Ｂ２２の方向へ向かう半径を持った第１端部Ｂ１３および第２端部Ｂ１４を有する。
【０１０６】
ボードＢ１０には、従来のスノーボードともスケートボードにはない特徴がいくつかある。こうした特徴の一つは、図２２に示すように、頂面Ｂ２２上の第１端部Ｂ１３、第２端部Ｂ１４の少なくとも一方の付近に設けられた複数の溝Ｂ１８である。溝は両方の端部の付近にあることが好ましい。複数の溝Ｂ１８はボードの長さＢ１１に対して概して垂直に配置されている。溝Ｂ１８は頂面Ｂ２２の一部として形成されることが好ましい。しかし、この溝は頂面Ｂ２２に刻み付けたものであってもよい点を理解されたい。この溝Ｂ１８により、第１端部Ｂ１３、第２端部Ｂ１４におけるボードＢ１０の可撓性が増す。こうして両端の可撓性が増したことにより、本発明によって考案された上述の水上スキム面上において優れた水上滑走パフォーマンスを行えるようになる。複数の溝Ｂ１８のそれぞれは、ボード厚さの１／１０の１／５〜ボード厚さの３／１０の好ましい深さであることが好ましい。溝の長さ、深さ、形状、サイズは、ライダーまたは使用者の嗜好、技能、実行する操作の種類、参加する水上滑走スポーツ規律の種類、使用する水上滑走モジュール、あるいはこれらの任意の組み合わせに応じて変更または変化させることができる点を理解されたい。
【０１０７】
これに加えて、図２８および図２９に示すように、ボードＢ１０は底面Ｂ２３上に配置した複数の溝Ｂ２０を含む。溝Ｂ２０は、図２４および図２５に示すように、長さＢ１１と概して平行に配置されている。溝Ｂ２０は底面Ｂ２３の一部として形成されることが好ましい。しかし、これらの溝は底面に刻み付けたものであってよい点を理解されたい。本実施形態の溝Ｂ２０は凹形であることが好ましい。ボードＢ１０は木材、繊維ガラス、複合材料から成っていることが好ましい。しかし、他の様々な例証的実施形態では、ボードは当技術分野で一般的なこれ以外の材料、例えば繊維ガラス、樹脂、木材、プラスチック、発泡材、ゴム、金属、合金、複合材料、炭素グラファイト、炭素繊維、ケブラー、Ｐ−Ｔｅｘなどで構造できる点を理解されたい。複数の溝Ｂ２０は、ライダーの技能、嗜好、実行する操作、特定の水上滑走スポーツ規律、使用する水上モジュールの種類に応じて、好ましい深さを有する。主要な深さはボード厚さの１／１５〜１／５である。
【０１０８】
さらに、図２８に示すように、ボードＢ１０の底面Ｂ２３上には水路Ｂ２１が設けられている。この水路２１はボードＢ１０の中心に沿って配置されていることが好ましい。また、水路Ｂ２１は深さＢ２５を有する。本実施形態では、この深さはボードの厚さ比に対して１／１５〜１／１０であることが好ましい。本実施形態では、水路Ｂ２１は、概して凹形状を有することが好ましい。他の実施形態では、水路、トンネル、溝は、幅と長さを増した同心の数本の水路であってよい点を理解されたい。さらに、水路、トンネル、溝は凹形、パラボリック形、超パラボリック形といった多様な形状であってよく、また縁は凸形、凹形、半径状、斜面、四角形、またはこれらの任意の組み合わせであってよい。
【０１０９】
水路Ｂ２１と複数の溝Ｂ２０によってボードＢ１０の水上滑走能力が向上する。この水路と溝は、制御、追跡能力、スキミング／水上滑走、さらにボードのパフォーマンス全般に影響および作用する。水路および溝の本数が多いほど、また、好ましい深さの範囲内での深さの値が高いほど、ボードの安定性が増す。他の例証的実施形態では、ボードの底面には水路も溝も設けられていない。
【０１１０】
第１搭載エリアＢ１５および第２搭載エリアＢ１６は頂面Ｂ２２上に配置されている。搭載エリアはボード内に射出成形するか、接着剤または固定具、あるいはこれらの組み合わせを用いてボードに固定または取り付けることができる点を理解されたい。第１搭載エリアＢ１５は、第１端部Ｂ１３から見て長さＢ１１のほぼ１／３の部分に配置されている。第２搭載エリアＢ１６は、第２端部Ｂ１４から見て長さＢ１１のほぼ１／３の部分に配置されている。第２搭載エリアの位置は、使用者の嗜好に応じて端部Ｂ１４にすることができる点を理解されたい。搭載エリアの間の距離も、ライダーのパフォーマンス能力、実行する操作の種類、ライダーの身体寸法、使用する水上滑走実施形態ボードおよび特定の水上滑走スポーツ規律に応じて変更される。搭載エリアＢ１５およびＢ１６により、以下で説明するようにボードＢ１０に足を置くための位置、または取り付けビンディングの取り付け位置が得られる。図ではボードＢ１０は、搭載エリアＢ１５およびＢ１６を含むが、他の例証的実施形態では、搭載エリアはオプションであってよいため、ボードはいわゆる「フリー・フット・ボード」と呼ばれるものになる。また、他の例証的実施形態では、ビンディング搭載エリアの一方をボードの端部に隣接して、または端部に配置するため、使用者の足やブーツの後ろ側をボードの最後部近くに置くことができ、これにより、より優れたボード制御が可能になる点を理解されたい。
【０１１１】
ボードＢ１０はさらに幅Ｂ２６を有する。この幅Ｂ２６は長さＢ１１に沿って不均一である。幅Ｂ２６は端部Ｂ１３およびＢ１４付近では広く、ボードＢ１０のパラボリック形状の端部を形成する。長さＢ１１と幅Ｂ２６の比率は、ライダーまたは使用者のパフォーマンス、実行する操作の種類、使用する水上滑走実施形態ボードの種類、特定の水上滑走スポーツ規律に応じて変わる。
【０１１２】
ボードＢ１０と従来のボードの相違は、ボードＢ１０では複数の溝Ｂ１８によってボード１０の可撓性を高めているのに対し、従来のボードではその硬性を望ましいとすることである。さらなる違いは、ボードＢ１０の底部形状半径と全体の可撓性が、本発明における水上滑走実施形態装置との併用を特に引き立たせていることである。さらに、底面Ｂ２３上に複数の溝Ｂ２０と水路Ｂ２１を含む点も異なる。これらの特徴によりボードＢ１０とスキム面の間に液体５を保持できるので、ライダー１は従来のスキム装置とボードを使用した場合よりも水上滑走を行い易くなる。従来のボードの底面は雪上での摩擦を低減するために滑らかになっている。ボードＢ１０と従来のボードにおけるこれ以外の主要な相違は、ボードＢ１０のエッジＢ２４が図２９に示すように鋭角状でないことである。エッジＢ２４は、ボードの長さに沿ってほぼ凹形状であることが好ましい。凹形状によって、より優れたエッジ・トゥ・エッジ制御とターンが得られることが証明されている。エッジは別の形状、例えば円形、斜面、半径状、四角形、先細り形、超パラボリック形、表面にくぼみのある平坦形、またはこれらの任意の組み合わせであってもよい点を理解されたい。エッジを超放物線状または表面にくぼみのある平坦形にすることで、より直線的な追跡と安定性が得られるが、しかし一般的には、エッジがこのような形状をしたボードは、エッジ・トゥ・エッジからターンまたは「ロール」に移る場合に、例えばエッジが凹形をしたボードで行う場合のようにはスムーズに行かない。エッジングはライダーまたは使用者のパフォーマンス能力、実行する操作の種類および使用する水上滑走実施形態ボードの種類、特定の水上滑走スポーツ規律に応じて異なる。これとは正反対に、従来のボードは雪に切り込めるように鋭角エッジを使用する。鋭角エッジはスキム面４３またはライダー１を損傷する可能性があるので、ボードＢ１０は鋭角エッジを採用していない。
【０１１３】
図３０、図３１はボードＢ１１０を示す。ボードＢ１１０はボードＢ１０と類似し、ボードＢ１０の特徴を含む。ボードＢ１１０は、長さＢ１１１、幅Ｂ１２６、厚さＢ１１２、第１端部Ｂ１１３、第２端部Ｂ１１４を含む。ボードＢ１１０はさらに第１または頂面Ｂ１２２、第２または底面Ｂ１２３を含む。
【０１１４】
ボードＢ１１０は、ボードＢ１０と同様に底面Ｂ１２３上に配置した複数の溝Ｂ１２０を含むが、この複数の溝Ｂ１２０のうちの数本はボードＢ１０の場合と同様に長さＢ１１１と平行である一方で、エッジに最も近い複数の溝Ｂ１２０は、長さＢ１１１に関連したパラボリック形にカットされ、この点がボードＢ１０と異なる。これに加えて、ボードＢ１１０は、底面Ｂ１２３に水路が含まれていない点においてボードＢ１０と異なる。溝、水路、エッジ、底面エリア、またはこれらの任意の組み合わせは、ライダーまたは使用者のパフォーマンス、実行する操作の種類、使用する水上滑走実施形態ボードの種類、ライダーが関わっている特定の水上滑走スポーツ規律に応じて、様々なサイズ、形状、長さ、また、放物線状、超放物線状、凹形、凸形、これらの任意の組み合わせであってよい点を理解されたい。
【０１１５】
図３２、図３３、図３４はボードＢ２１０を示す。このボードＢ２１０はボードＢ１０と類似し、ボードＢ１０の特徴を含む。ボードＢ２１０は長さＢ２１１、幅Ｂ２２６、厚さＢ２１２、第１端部Ｂ２１３、第２端部Ｂ２１４を含む。また、第１または頂面Ｂ２２２、第２または底面Ｂ２２３をさらに含む。ボードには、木材、繊維ガラス、プラスチック、複合材料、金属、炭素繊維、炭素グラファイト、ケブラー、グラファイト、ゴムといった材料の複数の層を様々に組み合わせて使用できる点を理解されたい。
【０１１６】
ボードＢ２１０は、底面Ｂ２２３に水路が含まれていない点においてＢ１０と異なる。ライダーまたは使用者の嗜好に応じて、このボードにも水路を含むことができる点を理解されたい。ボードＢ２１０がボードＢ１０さらに異なる点は、ボードＢ２１０は、幅Ｂ２２６の末端またはエッジに沿って水路Ｂ２２９が付いたエッジＢ２２４を含んでいることである。この追加の特徴によって、ボードＢ２１０の下により多くの液体５が入れるようになり、その結果、ライダー１の水上滑走効果、制御、追跡が向上する。この特徴は、ライダーが雪に切り込めるよう鋭角エッジを採用した従来のボードとは対照的である。
【０１１７】
上述した実施形態は、ボードＢ１０、Ｂ１１０、およびＢ２１０の特定の特徴を含んでいるが、本発明ではライダー１がこうした特徴を組み合わせたり、調整したりすることができると考える。例えば、ボードＢ１０はボードＢ１１０と同様にパラボリック形端部を含んでもよく、ボードＢ２１０はボードＢ１０と同様に底部に水路を有してもよい。
【０１１８】
図３５、図３６、図３７、図３８は、装置１０上で使用する別のボードＢ３１０の別の例証的な実施形態を示す。ボードＢ３１０は、従来のウェークボード、海用スキムボード、湖または川でのウォータスポーツに使用する平地用スキムボードと類似する。ボードＢ３１０は具体的には、ハーフパイプ、クォータパイプ、ビッグエア、ランプ・トゥ・ランプ、半円錐台といった本発明の水上滑走実施形態装置との併用を引き立てる特徴を備える。これは、目的の用途および設計が本発明の水上滑走実施形態装置と併用するようになっていない、先述の別のウォータスポーツで使用される従来のボードとは対照的であり、相違する。ボードＢ３１０はボードＢ１０と類似し、その特徴を備える。ボードＢ３１０は、長さＢ３１１、幅Ｂ３２６、厚さＢ３１２、第１端部Ｂ３１３、第２端部Ｂ３１４を含む。さらに、ボードＢ３１０は第１または頂面Ｂ３２２、第２または底面Ｂ３２３を含む。木材、繊維ガラス、プラスチック、複合体、金属、炭素繊維、炭素グラファイト、ケブラー、グラファイト、ゴムといった複数の材料の層を様々に組み合わせてボードに使用できる点を理解されたい。
【０１１９】
ボードＢ３１０はまた、頂面Ｂ３２２に配置した複数の溝Ｂ３１８と、底面Ｂ３２３に配置した溝Ｂ３２０とを含む。複数の溝Ｂ３１８は長さＢ３１１に対して概して垂直であり、複数の溝Ｂ３２０は、長さＢ３１１に対して概して水平、パラボリック形、凹形、超パラボリック形である。複数の溝Ｂ３１８を具備する点は、従来のウェークボードとは対照的である。この複数の溝Ｂ３１８によってボード３１０の可撓性を高めているのに対し、従来のウェークボードは硬質となるように設計されている。
【０１２０】
ボードＢ３１０は、その形状が楕円形である点でボードＢ１０と異なる。長さと幅の比率は、ライダーまたは使用者のパフォーマンス能力、実行する操作の種類、使用する水上滑走実施形態ボードの種類、特定の水上滑走スポーツ規律に応じて変化する。ボードまたは楕円形スキムボードＢ３１０の上記以外の違いは、ボードＢ３１０には搭載エリアが含まれていない点である。その代わり、ボードＢ３１０は第１フリーフットエリアＢ３３０、第２フリーフットエリアＢ３３１を有する。第１フリーフットエリアＢ３３０は第１端部Ｂ３１３の付近に配置され、第２フリーフットエリアは第２端部Ｂ３１４の付近に配置されている。本発明では、フリーフットエリアＢ３３０およびＢ３３１は当技術分野で一般的なトラクション材料であり、頂面Ｂ３２２に接着されている。他の様々な例証的実施形態では、フリーフットエリアは、頂面をエッチング処理やレーザカット処理して粗面化した頂面エリアであってよい点を理解されたい。ボードにトラクションおよびグリップ面を、接着剤、射出成形、固定具、またはこれらの任意の組み合わせによって取り付け、固定、接続することができる点も理解されたい。
【０１２１】
図３９、図４０、図４１、および図４２は、装置１０上で使用する別のボードＢ４１０の別の例証的実施形態を示す。ボードＢ４１０はボードＢ３１０と類似し、その特徴を含む。ボードＢ４１０は、長さＢ４１１、幅Ｂ４２６、厚さＢ４１２、第１端部Ｂ４１３、および第２端部Ｂ４１４を含む。さらにボードＢ４１０は、第１または頂面Ｂ４２２、第２または底面Ｂ４２３を含む。ボードＢ４１０は具体的には、例えばドロップイン、ハーフパイプ、クォータパイプ、ビッグエア、ランプ・トゥ・ランプ、半円錐台といった本発明の水上滑走実施形態装置との併用を引き立てる特徴を有する。これは、先に述べた、目的とする使用と設計が本発明の水上滑走実施形態装置と併用するようになっていない、別のウォータスポーツに使用されている従来のボードとは対照的であり、相違する。ボードには、木材、繊維ガラス、プラスチック、複合材料、金属、炭素繊維、炭素グラファイト、ケブラー、グラファイト、ゴムのような複数の材料の層を様々に組み合わせて使用できる点を理解されたい。
【０１２２】
ボードＢ４１０はまた、底面Ｂ４２３上に配置した複数の溝Ｂ４２０、および水路Ｂ４２１を含む。ボードＢ３１０のものと類似の水路Ｂ４２１は、長さＢ４１１と概して平行である。水路Ｂ４２１はボードＢ１０の水路Ｂ２１と類似し、水路Ｂ２１と同様に、装置１０のスキム面４３上における水上滑走、制御、トラッキングの機能を高める効果を提供する。
【０１２３】
ボードＢ４１０は楕円形である点においてボードＢ３１０と類似する。長さと幅の比率は上述したボードのものと類似する。ボードまたは楕円形スキムボードＢ４１０は、頂面Ｂ４２２上に搭載エリアＢ４１５、Ｂ４１６を含んでいる点においてボードＢ３１０と異なる。第１搭載エリアＢ４１５は、第１端部Ｂ４１３から見て、長さＢ４１１のほぼ１／３の位置に配置されている。第２搭載エリアＢ４１６は、第２端部Ｂ４１４から見て、長さＢ４１１の約１／３の位置に配置されることが好ましい。搭載エリアＢ４１５、Ｂ４１６は、ボードＢ４１０にビンディングを取り付ける位置となる。これについては以下で説明する。搭載エリアは、使用者の嗜好に応じて、端部付近または端部に設けることができる。
【０１２４】
ボードＢ４１０は、その底面に、幅Ｂ４２６の末端またはエッジに沿った水路Ｂ４２９を含んでいる点においてボードＢ３１０と異なる。この追加の特徴により、ボードＢ４１０の下を流れる液体５の量が増えることで、ライダーの水上滑走、制御、トラッキング効果が向上する。これに加えて、複数の溝Ｂ４２０は全て長さＢ４１１と概して平行である。
【０１２５】
図４３は、本発明により製造したビンディング装置ＢＤ１０の例証的実施形態を示す。このビンディング装置ＢＤ１０は、ボードＢ１０、Ｂ１１０、Ｂ２１０、Ｂ４１０上で使用され、ライダー１が、装置１０、１００、２００、および３００を使用して、上述のように水上滑走環境でエクストリーム・アクション・スポーツを行う際に、ライダー１にボードＢ１０、Ｂ１１０、Ｂ２１０、およびＢ４１０を固定する。
【０１２６】
ビンディング装置ＢＤ１０は、靴底部分ＢＤ１２、２つの側部ＢＤ１８、踵部分ＢＤ１４、ふくらはぎ部分ＢＤ１６を含む。側部ＢＤ１８は靴底部分ＢＤ１２に取り付けられている。踵部分ＢＤ１４は側部ＢＤ１８に取り付けられている。ふくらはぎ部分ＢＤ１６は、靴底部分ＢＤ１２と踵部分ＢＤ１４に可撓的に取り付けられている。靴底部分ＢＤ１２は、つま先端部ＢＤ３０を含む。
【０１２７】
ビンディング装置ＢＤ１０は、第１調整可能固定部材またはストラップＢＤ２２をさらに含み、この固定部材またはストラップＢＤ２２は、旋回接続部ＢＤ２３によって側部ＢＤ１８に回転可能に取り付けられ、靴底部分ＢＤ１２のつま先端部ＢＤ３０付近に配置される。第２調整可能固定部材またはストラップＢＤ２４は、踵部分ＢＤ１４付近の旋回接続部ＢＤ２５によって、ふくらはぎ部分ＢＤ１６に回転可能に取り付けられる。ストラップＢＤ２２、ＢＤ２４の各々は、ビンディング装置ＢＤ１０の摩擦からライダーを保護するためのパディング（図示せず）を含む。パディングは典型的には発泡体であるが、当技術分野で一般的な他の材料であっても構わない。ビンディング装置ＢＤ１０は複数の搭載用固定具ＢＤ２０を含む。複数の搭載用固定具ＢＤ２０により、ビンディング装置ＢＤ１０をボードＢ１０、Ｂ１１０、Ｂ２１０、およびＢ４１０に回転可能に搭載できるようになる。ビンディング装置は回転され、さらにビンディングの搭載プレートに設けられたスロットおよび溝によって、また、ボード上の様々な固定穴を用いて、様々な位置または場所に固定されることが好ましい。本実施形態のビンディング装置ＢＤ１０はグラファイト製であるが、他の様々な例証的実施形態では、当技術分野で一般的なこれ以外の材料を使用してもよい点を理解されたい。ビンディング装置ＢＤ１０を軽量化するために、側部、踵部分、ふくらはぎ部分には多様な大きさの複数の孔ＢＤ２６が開いている。本発明により製造したビンディングは、従来のビンディングよりも軽量な材料で形成され、抵抗を低くし、より優れた液体の通過性を可能にする排液穴を含む。さらに、水上滑走スポーツでは、雪を伴うスノーボードビンディングと比べて速度エネルギーの衝撃が少ないため軽量となる。本発明により製造したビンディングは、プラスチック、金属、炭素繊維、合金、複合材料、炭素繊維、炭素グラファイト、またはこれらを組み合わせて形成されることが好ましい。本発明ではさらに、ウェークボードブーツと似ているが総重量がこれよりも軽量な、主に発泡体、ネオプレン、プラスチック、金属、または複合材料で形成され、ボード上に搭載された状態を保つブーツを使用することも可能である。
【０１２８】
図４４、図４５、図４６、図４７は、上述の装置１０、１００、２００、および３００に使用する、本発明により製造したスキー装置ＳＫ１０を示す。このスキー装置ＳＫ１０は、長さＳＫ１１、厚さＳＫ１２、第１端部ＳＫ１３、および第２端部ＳＫ１４を含む。さらに、スキー装置ＳＫ１０Ｂは、第１または頂面ＳＫ２２、第２中央コア、底面ＳＫ２３、さらに、頂面ＳＫ２２上に配置された第１搭載エリアＳＫ１５、および第２搭載エリアＳＫ１６を含む。各搭載エリアＳＫ１５、ＳＫ１６は、複数の搭載用孔ＳＫ１７を含む。スキー装置ＳＫ１０の厚さＳＫ１２は、搭載エリアＳＫ１５、ＳＫ１６において厚くなっている部分を除き、長さＳＫ１１に沿って均一である。本実施形態では、厚さＳＫ１２は約１／２〜５／８インチ（１２．７ｍｍ〜１５．８８ｍｍ）、搭載エリアにおいては約１／８〜１／４インチ（３．１８ｍｍ〜６．３５ｍｍ）であることが好ましい。こうした値および比率は、ライダーまたは使用者の嗜好、技能、実行する操作の種類、使用者またはライダーが搭乗する水上滑走モジュールの種類に応じて変わる点を理解されたい。さらに、この比率は、例えば木材、発泡材、繊維ガラス、金属、複合材料、プラスチック、炭素繊維、炭素グラファイトのような、スキーの多層材料構造および製造に使用する材料の組み合わせに応じても変わる点を理解されたい。
【０１２９】
一見すると、スキー装置ＳＫ１０は、従来の雪上スキーのように見える。従来の雪上スキーと同様に、スキー装置ＳＫ１０の第１端部ＳＫ１３、第２端部ＳＫ１４も上方へ曲がっている。第１端部ＳＫ１３は、底面ＳＫ２３から頂面ＳＫ２２へ向かう半径を含む。このスキー装置は多層構造で製造されることが好ましい。
【０１３０】
スキー装置ＳＫ１０は、従来の雪上または水上スキーにはない特徴を含む。これらとの違いの１つは、スキー装置ＳＫ１０では、頂面ＳＫ２２上に、第１端部ＳＫ１３および第２端部ＳＫ１４へ向かう複数の溝ＳＫ１８を含んでいることである。これらの複数の溝ＳＫ１８は、長さＳＫ１１に対して概して垂直に配置され、スキー装置ＳＫ１０の第１端部ＳＫ１３と第２端部ＳＫ１４の可撓性を高めている。この両端部における可撓度の増加は従来の雪上スキーでは望ましくなく、水上スキーにおいては全く望ましくない。このスキー装置は、雪上スキーのような可撓性を有し、水上スキーのように剛性でなく、水上スキーよりも遥かに軽量である点で、従来の水上スキーと大きく異なっている。本発明のスキーのスウィングウェイトは、やはり水上スキーのものよりも遥かに軽量である。本発明のスキー装置は、スキーのキャンバが、雪上スキーのキャンバと比べてニュートラル、同様、オポジットキャンバであってよい点で従来の雪上スキーと大きく異なる。スキー装置の底部は水上滑走環境での使用に特化するが、これは、具体的に雪上または氷上を滑走または滑る仕様の従来の水上スキーとは大きく異なる。
【０１３１】
複数の溝ＳＫ１８の深さは、図４０に示すように、ライダーまたは使用者の嗜好、実行する操作の種類、使用する水上滑走実施形態スキー装置の種類に応じて約１／１６〜１／８インチ（１．５９ｍｍ〜３．１８ｍｍ）であることが好ましい。溝、水路、エッジ、底面エリア、またはこれらの任意の組み合わせは、ライダーまたは使用者のパフォーマンス能力、実行する操作の種類、使用する水上滑走実施形態スキー装置の種類、参加する特定の水上滑走スポーツの規律に応じて、様々な大きさ、形状、および長さで、また、パラボリック形、超パラボリック形、凹形、凸形、またはこれらの任意の組み合わせであってよい点を理解されたい。これに加えて、スキー装置ＳＫ１０は底面ＳＫ２３上に配置された複数の溝ＳＫ２０を含む。この溝ＳＫ２０は頂面ＳＫ２２内に形成されることが好ましい。しかし、この溝は頂面内に射出成形したり、頂面に切り込みを入れたり、頂面外へ渡されたものであってもよい点を理解されたい。溝ＳＫ２０は、図４１、図４３に示すように、長さＳＫ１１と概して平行に配置され、また、その深さは好ましくはスキーの厚さの約１／１０〜１／５である。溝、水路、エッジ、底面エリア、またはこれらの任意の組み合わせは、ライダーまたは使用者のパフォーマンス、実行する操作の種類、使用する水上滑走実施形態スキー装置の種類、特定の水上滑走スポーツ規律に応じて、様々な大きさ、形状、長さ、さらにパラボリック形、超パラボリック形、凹形、凸形、傾斜状、またはこれらの任意の組み合わせであってよい点を理解されたい。さらに、スキー装置ＳＫ１０は、底面ＳＫ２３上に水路ＳＫ２１を含む。この水路ＳＫ２１はスキー装置ＳＫ１０の中央に沿って位置決めされ、深さＳＫ２５を有する。水路ＳＫ２１と複数の溝ＳＫ２０は、例えば上述の装置１０のスキム面４３のような水上滑走面上におけるスキー装置ＳＫ１０の水上滑走機能を向上させる。水路の深さは、スキー装置の厚さの約１／１０〜１／６であることが好ましい。スキー装置ＳＫ１０は木材、フォームコア材で製造され、また頂部は繊維ガラスまたは射出形成で形成され、底面はＰ−Ｔｅｘまたは射出成形した複合材で形成されることが好ましい。さらに、これ以外の様々な材料、例えば炭素繊維、炭素グラファイト、金属、プラスチック、射出成形した複合材などを使用してスキー装置を構造および製造できる点を理解されたい。また、スキー装置は、先述の色々な材料を使用して単層または多層式構造に手作りすることもできる点を理解されたい。しかし、他の様々な例証的実施形態では、先述したもの以外にも、当技術分野で一般的な材料、例えば繊維ガラス樹脂、木材、プラスチック、複合材、金属などを使用してもボードを構造できる点を理解されたい。
【０１３２】
第１搭載エリアＳＫ１５と第２搭載エリアＳＫ１６は、頂面ＳＫ２２上の、長さＳＫ１１の中央周囲に配置されている。搭載エリアの距離は、使用者またはライダーの身体寸法、スキー装置の寸法、スキーを使用して実行する操作の種類、例えば「ビッグエア」、ストリート、カスケード・ステアステップ・スロープスタイル、ハーフパイプ、クォータパイプを実行する水上滑走スポーツ規律の種類に応じて変更できる点を理解されたい。搭載エリアＳＫ１５、ＳＫ１６は、スキー装置ＳＫ１０にビンディングの取り付け位置となる。これについては以降で説明する。
【０１３３】
スキー装置ＳＫ１０はさらに幅ＳＫ２６を有する。この幅ＳＫ２６は長さＳＫ１１に沿って均一である。長さＳＫ１１と幅ＳＫ２６の比率は、使用者またはライダーの身体寸法、スキー装置の寸法、スキーを使用して実行する操作の種類、また、例えば「ビッグエア」、ストリート、カスケード・ステアステップ・スロープスタイル、ハーフパイプ、クォータパイプのような実行する水上滑走スポーツの規律に応じて変更する。
【０１３４】
スキー装置ＳＫ１０と従来のスキーの相違点は、スキー装置ＳＫ１０の場合、複数の溝ＳＫ１８によってその両端部の可撓性を高めているのに対して、従来の雪上スキーの場合は、概して両端部に向かって硬性が増すように設計され、また従来の水上スキーの場合は、全長にわたって硬性を有するように設計されていることである。本発明のスキー装置は、可撓性が非常に高く、水上スキーのように剛性でなく、さらに本発明のスキーは従来のスキーよりもはるかに軽量である点において従来の水上スキーと大きく異なる。また、本発明のスキーのスウィングウェイトもやはり水上スキーのものと比べて非常に軽い。本発明のスキー装置は、そのキャンバが雪上スキーのキャンバと比べてニュートラル、同様、オポジットキャンバであってよい点において従来の雪上スキーと大きく異なっている。スキー装置の底部は水上滑走環境での使用に特化され、これは、具体的に雪上または氷上を滑走または滑る仕様の従来の雪上スキーとは大きく異なる。さらに、底面ＳＫ２３上に複数の溝ＳＫ２０、水路ＳＫ２１を含む点も従来のスキーとの相違点である。これらの特徴によって、液体５がスキー装置ＳＫ１０と装置１０のスキム面４３の間を継続的に流動できることで、ライダー１が水上滑走できるようになる。さらに、こうした特徴によって、ライダー１によるスキー装置ＳＫ１０の制御能力が向上する。従来のスキーは、摩擦を減らすために滑らかな底面を備え、また、キャンバを特徴的に含む。本発明のスキー装置では、使用者またはライダーの嗜好、スキーを使用して実行する操作の種類、また、例えば「ビッグエア」、ストリート、カスケード・ステアステップ・スロープスタイル、ハーフパイプ、クォータパイプといった実行する水上滑走スポーツ規律の種類に応じて、キャンバを特徴的に含んでも、キャンバを含まなくても、リバースキャンバにしてもよい。さらに、雪上スキーではエッジが雪および氷に切り込めるよう鋭い金属エッジであるのに対し、本発明のスキー装置ではエッジは鋭くない点を理解されたい。スキー装置ＳＫ１０はエッジＳＫ２４を含む。エッジＳＫ２４は概して平坦である。エッジは、これ以外にも例えば凹形、丸形、先細り形、半径状、四角形、先細り形、超パラボリック形、表面にくぼみのある平坦形、またはこれらの任意の組み合わせであってよい。凹形形状は、エッジ・トゥ・エッジ制御とターンを向上させることが証明されている。エッジを超パラボリック形または表面にくぼみのある平坦な形状にすることで、より直線的なトラッキングと安定性が向上するが、しかし、一般に、こうしたエッジを持ったボードではエッジ・トゥ・エッジからターンまたは「ロール」を行うことができない。これは例えばエッジが凹形のボードでも同様である。
【０１３５】
図４８、図４９、図５０、図５１は、スキーＳＫ１１０の例証的な実施形態を示す。スキーＳＫ１１０はスキー装置ＳＫ１０と類似し、スキーＳＫ１０の特徴を含む。スキーＳＫ１１０は長さＳＫ１１１、幅ＳＫ１２６、厚さＳＫ１１２、第１端部ＳＫ１１３、第２端部ＳＫ１１４を含む。さらにスキーＳＫ１１０は第１または頂面ＳＫ１２２、第２または底面ＳＫ１２３を含む。スキー装置発明は、当技術分野で一般的な多層材料で構造できる点を理解されたい。
【０１３６】
スキーＳＫ１１０は、幅ＳＫ１２６が長さＳＫ１１１に沿って均一でない点でＳＫ１０と異なる。幅ＳＫ１２６は第１端部ＳＫ１１３と第２端部Ｋ１１４の付近で広くなっている。スキーＳＫ１１０はパラボリックスキー形と呼ばれるものであり、スキーの技術分野において一般的なものである。これに加えて、スキーＳＫ１１０は、底面ＳＫ１２３に中央水路を含まない点でスキー装置ＳＫ１０と異なる。
【０１３７】
図５２、図５３、図５４、図５５はスキーＳＫ２１０を示す。このスキー装置ＳＫ２１０はスキー装置ＳＫ１０と類似し、その特徴を含む。スキーＳＫ２１０は、長さＳＫ２１１、パラボリック形状の幅ＳＫ２２６、厚さＳＫ２１２、第１端部ＳＫ２１３および第２端部ＳＫ２１４、並びにエッジＳＫ２２４を含む。スキーＳＫ２１０は、さらに第１または頂面ＳＫ２２２および第２または底面ＳＫ２２３を含む。
【０１３８】
スキー装置ＳＫ２１０は、底面ＳＫ２２３に深さＳＫ２２５の水路ＳＫ２２１を含む点でスキー装置ＳＫ１０と類似する。スキー装置ＳＫ２１０とスキー装置ＳＫ１０の相違点は、ボードＳＫ２１０が、複数の溝ＳＫ２２０の付いた水路ＳＫ２２１を含むことである。この追加の特徴によって、スキーＳＫ２１０の下に入る液体５の量が増えることで、ライダーの水上滑走効果が高まる。本発明の全てのスキー装置は、本発明のスキー装置の様々な特徴と態様を多様な組み合わせにて採用することができる点を理解されたい。これ以外の違いは、本実施形態におけるスキー装置ＳＫ２１０のエッジＳＫ２２４の形状が概して凹形であることである。
【０１３９】
本発明により製造されたスキー装置は、類似した中間特徴と頂部特徴、従来の雪上スキーのような重量、従来の水上スキーと似た底部特徴、さらに、本発明のスキー装置固有のキャンバ、底面、エッジ、可撓性、パフォーマンス、スウィングウェイト、水上滑走、制御特徴を備える。本発明によるこの水上滑走モジュール式スキー装置は、雪上スキーまたは水上スキー・スポーツ・アクティビティでは効率的に使用することができない。本発明により製造したこのスキー装置の好適かつ主要で、具体的で、意図する目的および用途は、本発明で説明したアクション水上滑走装置、実施形態、アクティビティによって得られるエクストリーム水上滑走環境で使用することである。
【０１４０】
図５６および図５７は、本発明により製造したビンディング装置ＢＤ１１０の例証的実施形態を示す。ビンディング装置ＢＤ１１０は、スキー装置ＳＫ１０、ＳＫ１１０、ＳＫ２１０上で使用するものであり、上述のようにライダー１が水上滑走環境において装置１０、１００、２００、および３００を使用してアクションスポーツを行う際に、装置ＳＫ１０、およびＳＫ１１０、ＳＫ２１０をライダー１に固定する。ビンディング装置ＢＤ１１０は、雪上スキーで使用する雪上スキービンディングと類似する。ビンディング装置ＢＤ１１０には、従来のビンディングのような、スキーが外れた場合に用いるブレーキレバーの特徴はない。このビンディング装置は、構造に使用する材料の厚さ、バネおよび解放機構のゲージと張力、液体を排出するための排液ポート、ビンディングの総重量において従来の雪上スキー用ビンディング装置とは大きく異なることを理解されたい。さらに、このビンディング装置と従来の雪上スキー用ビンディング装置の最も大きな違いのうちの一つは、水上滑走環境スキムスポーツにおいて使用者またはライダーがブーツの安全に固定および解放するための解放張力率および固定張力率、山を滑降する雪上スキーと比較したエネルギーの物理学に関し、このアクティビティにおけるエネルギーの物理学に関する点を理解されたい。さらに、本発明では、このスキー装置ビンディングを雪上スキーボードまたは水上スキーボードに使用または搭載することはできず、また、これを雪上スキーや水中スキーで使用することは法律上および安全上不可能である。本発明のスキービンディングが唯一意図する目的と機能は、本発明において説明したように、エクストリーム水上滑走アクション・エクストリーム・スポーツを行う目的でエクストリーム水上スキムスキーと共に、また、水上滑走実施形態モジュールと共に使用することである。さらに、本発明におけるビンディング装置は、従来の雪上スキービンディングに設けられているブレーキ装置特徴を全く備えていない。
【０１４１】
ビンディング装置ＢＤ１０は、靴底部分ＢＤ１１２とつま先部分ＢＤ１３０を含む。つま先部分ＢＤ１３０は、キャッチＢＤ１２２、本体ＢＤ１２３、調整部材ＢＤ１３１、および調整サイトゲージＢＤ１２７を含む。靴底部分ＢＤ１１２は、キャッチＢＤ１２４、２つの側部ＢＤ１１８、およびロックレバーＢＤ１１６を含む。靴底部分ＢＤ１１２とつま先部分ＢＤ１３０は両方共、複数の搭載用固定具ＢＤ１２０を含む。
【０１４２】
ライダー１は、調整部材ＢＤ１３１により、キャッチＢＤ１２２内の張力を自分の体重に合わせて調整することができる。ロックレバーＢＤ１１６は、非使用時にキャッチＢＤ１２４を第１またはロック解放位置にしておくために、靴底部分ＢＤ１１２と回転可能に接続できるようになっている。ライダー１は、適切なブーツ（以下で説明する）を履いた足をビンディング装置ＢＤ１１０へ配置した後、ロックレバーＢＤ１１６を第２またはロック位置へ押下して、キャッチＢＤ１２４を自分の足に固定する。
【０１４３】
本実施形態におけるビンディング装置ＢＤ１１０は、金属、合金、プラスチック、プラスチック複合体、およびゴムで構成することが好ましく、この場合、これらの材料は単独で、あるいは複数組み合わせて使用される。しかし、他の様々な例証的実施形態では、これ以外にも当技術分野で一般的な材料を使用できる点を理解されたい。
【０１４４】
本発明によって考察されるエクストリーム水上滑走スキムスポーツおよびアクティビティの場合、張力設定（またはＤＩＮ設定）が例えば雪上スキーの場合とは異なる点を理解されたい。本発明により製造した水上滑走用ビンディング装置は、同一のＤＩＮ設定値を持つ水上または雪上スキーのような他のスポーツに利用することはできない。雪上または水上スキースポーツへの使用に「認証」されていないビンディングを使用した場合に重大な怪我または死亡事故の原因となる恐れがあるため、プロ選手またはスキー販売店の技術専門員は、現行の法律では、水上滑走用ビンディング装置を雪上または水上スキーの上に搭載することが責任上の理由からできない点に留意しなければならない。ブーツの解放に必要なトルク量は、つま先部分と踵部分のねじを回して調整する。これはDIN設定と呼ばれる。正確なＤＩＮ設定は、身長、体重、スキーブーツ靴底長さ、スキーヤーのスキースタイル（用心深い、標準、好戦的）、年齢（スキーヤが５０歳以上であるかどうか）に基づく。ＤＩＮの設定は、通常、スキーの貸し出しまたは購入時に技術者が行う。正しい試験機器を使用せずにビンディングを調整すると、ビンディング解放時に問題が生じる可能性があるため、スキーヤーにとって危険である。これは、ＤＩＮをＤＩＮ引張力設定表に記載の値よりも高く設定したビンディングは、使用者のブーツをビンディング状態に保ち、解放しようとしても解放できないため、転倒時に重大な怪我または死亡事故を起こす可能性があるという事実による。さらに、ＤＩＮをＤＩＮ引張力設定表の記載よりも低く設定した場合には、最小の引張力がかかっただけで使用者のブーツが中途半端な状態で解放されてしまい、使用者に重大な怪我や死亡事故を引き起こす可能性がある。
【０１４５】
図５８は、本発明により製造したブーツ装置ＳＢ１０の側面図である。ブーツ装置ＳＢ１０はビンディング装置ＢＤ１１０に使用される。ブーツ装置ＳＢ１０の外観と使用方法は従来のスキーブーツと同様である。ブーツ装置ＳＢ１０は、つま先部分ＳＢ１２、踵部分ＳＢ１４、２つの側部ＳＢ１５、足首部分ＳＢ１６、およびふくらはぎ部分ＳＢ１８を含むシェル部材を備える。側部ＳＢ１５には第１調整可能ストラップＳＢ２０、および第２調整可能ストラップＳＢ２２が接続している。ふくらはぎ部分ＳＢ１８上には第３調整可能ストラップＳＢ２４が配置されている。調整可能ストラップＳＢ２０、ＳＢ２２、およびＳＢ２４は、従来のスキーブーツに一般に使用されているものである。本発明により製造されたブーツ装置はプラスチック複合材、ネオプレン、ゴム、発泡材、および金属で製造されることが好ましい。その他にも、例えば炭素繊維、ケブラー、炭素グラファイト、合金、麻布、ナイロン、バリスティックナイロンといった当技術分野で一般的な材料を使用することができる。
【０１４６】
ふくらはぎ部分ＳＢ１８は、ピンＳＢ３６によって足首部分ＳＢ１６に回転可能に接続する。側部ＳＢ１５、足首部分ＳＢ１６、およびふくらはぎ部分ＳＢ１８の各々の全体に複数の孔ＳＢ３２を設けることで、ブーツ装置が軽量化され、排水が促進される。これは、一体型で、内部保温を重視した従来のスキーブーツとは異なる。これに加えて、側部ＳＢ１５のつま先部分ＳＢ１２付近には開口ＳＢ３４が設けられている。さらにブーツ装置ＳＢ１０では、ふくらはぎ部分ＳＢ１８の第３ストラップＳＢ２４の上にふくらはぎストラップＳＢ２６を含む。
【０１４７】
ブーツ装置ＳＢ１０はさらに、挿入物または第１ライナーＳＢ２８と第２ライナーＳＢ３０とを含む。ライナーＳＢ２８、ＳＢ３０は、ライダー１の脚をブーツ装置ＳＢ１０から保護する。ライナーＳＢ２８およびＳＢ３０は当技術分野で一般的な発泡材である。あるいは、ライナーはこれ以外の当技術分野で一般的な材料、例えばネオプレン、偽毛皮、麻布、ナイロンから成っていてもよい。
【０１４８】
これに加えて、ブーツ装置ＳＢ１０は、つま先部分ＳＢ１２上に配置された第１キャッチエリアＳＢ３８、靴底部分ＳＢ１４上に配置された第２キャッチエリアＳＢ３６を含む。キャッチエリアＳＢ３８は、ビンディング装置ＢＤ１１０のつま先部分ＢＤ１３０のキャッチＢＤ１２２との係合操作が可能なように構成されている。第２キャッチエリアＳＢ３６は、ビンディング装置ＢＤ１１０の靴底部分ＢＤ１１２のキャッチＢＤ１２４との係合操作が可能なように構成されている。本発明により製造した水上滑走ブーツ装置は、軽量で、踵が可撓性であるので歩き易く、シェル全体を柔軟に設計しているため全体的に可撓性があり、さらに、多数の孔を設けて排液し易くする点で従来のスノーボード用ブーツと異なっている。さらに、本発明のブーツは様々な材料を用いて、手作業、射出成形、またはこれらの組み合わせによって構造できるため、ブーツを本発明のスキーまたはボード装置上に一時的または永久的に搭載することが可能になる点を理解されたい。
【０１４９】
図５９は、本発明により製造したブーツ装置ＳＢ１１０の側面図である。このブーツ装置ＳＢ１１０はビンディング装置ＢＤ１０に使用するためのものである。ブーツ装置ＳＢ１１０はつま先部分ＳＢ１１２、踵部分ＳＢ１１４、２つの側部ＳＢ１１５、足首部分ＳＢ１１６、およびふくらはぎ部分ＳＢ１１８を具備する。側部ＳＢ１１５には、第１調整可能ストラップＳＢ１２０と第２調整可能ストラップＳＢ１２２が接続する。ふくらはぎ部分ＳＢ１１８上には第３調整可能ストラップＳＢ１２４が配置されている。本実施形態の調整可能ストラップＳＢ１２０、ＳＢ１２２、およびＳＢ１２４は、フックとループ固定具を使用するが、しかし、他の様々な例証的実施形態では、これ以外の当技術分野で一般的な調整可能なストラップを採用することも可能である点を理解されたい。本発明によるブーツ装置は、プラスチック複合材、ネオプレン、ゴム、発泡材、金属を単独で、または組み合わせて使用して製造されていることが好ましい。これ以外の当技術分野で一般的な材料、例えば炭素繊維、ケブラー、炭素グラファイト、合金、麻布、ナイロン、バリスティックナイロンを使用することも可能である。
【０１５０】
ふくらはぎ部分ＳＢ１１８は足首部分ＳＢ１１６に接続する。側部ＳＢ１１５、足首部分ＳＢ１１６、ふくらはぎ部分ＳＢ１１８の全体にかけて複数の孔ＳＢ１３２が設けられ、軽量化と排水の促進を図っている。ブーツ装置ＳＢ１１０はさらに、ふくらはぎ部分ＳＢ１１８の第３ストラップＳＢ１２４の上に配置されたふくらはぎストラップＳＢ１２６を含む。
【０１５１】
スーツ装置ＳＢ１１０はライナーＳＢ１２８をさらに含む。このライナーＳＢ１２８は、ライダー１の脚をブーツ装置ＳＢ１１０から保護する。ライナーＳＢ１２８は当技術分野で一般的な発泡材から成る。あるいは、ライナーは、これ以外の当技術分野で一般的な材料、例えばネオプレンから成っていてもよい。本発明のスキーブーツのモデルのいくつかの応用形では、インナーブーツはウォータソックスまたはウォータスポーツ用シューズと似た構造になっているので、ブーツシェルから取り外して装着し、そのまま快適かつ安全に水中や陸を歩くことができるようになっている。
【０１５２】
図６０は、本発明により製造したポール装置Ｐ１０の斜視図である。このポールまたはバランスポール装置Ｐ１０は、第１端部Ｐ１４と第２端部Ｐ１６を具備したポール部材Ｐ１２を含み、この第１端部Ｐ１４と第２端部Ｐ１６は長さＰ１８を形成する。第１端部Ｐ１４にはハンドルＰ２０が配置されている。このハンドルにはストラップＰ２２が付いているが、これはオプションである。第２端部Ｐ１６には接触部材Ｐ２４が配置されている。
【０１５３】
本実施形態では、ポール部材Ｐ１２は、スキーポール製造の技術分野において一般的な材料で構造されている。さらに、水上滑走エクストリーム・スキム・スキー用ポールは、射出成形複合材、炭素繊維、繊維ガラス、合金、その他の当技術分野で一般的な材料で形成することができる。ライダー１は、水上滑走エクストリームスポーツ装置１０を使用する際に、バランスを保つための補助として、ポール装置Ｐ１０を所望に応じ、従来のスキーポールと同様の方法で使用する。本実施形態では、長さＰ１８は約４０インチであることが好ましい。しかし、他の実施形態では、この長さはこれよりも長くても短くてもよく、ライダー１の嗜好と身体寸法、並びに実行するトリックおよび操作、また、参加する水上滑走イベントの種類、例えば「ビッグエア」、クォータパイプ、ハーフパイプ、カスケード・ステアステップ・スロープスタイルに応じて決定することができる点を理解されたい。
【０１５４】
本実施形態における接触部材Ｐ２４は凹形であり、即ち、接触部材Ｐ２４は第２端部Ｐ１６から第１端部Ｐ１４への方向に向かって杯状になっている。この接触部材は好ましくはゴム複合材から成る。しかし、ゴム、プラスチック、ネオプレン、あるいはその他の複合材で製造することも可能である。接触部材Ｐ２４は、使用時には装置１０のスキム面４３と接触する。バランスポールＰ１０でスキム面４３を損傷することがないよう、接触部材Ｐ２４はゴム材料で構造される。本実施形態ではポール部材Ｐ１２は接触部材Ｐ２４を超えて延びていないが、他の様々な例証的実施形態では、ポール部材は接触部材より先へ延びていてもよい点を理解されたい。
【０１５５】
本発明はさらに、上述の装置を使用した、プロフェッショナルまたはアマチュア向けのエクストリーム方式の水上スキムアクティビティに関連する。ライダー１は、上述の用具を、上述した装置の１つまたは組み合わせの上で使用することで、限定はされないが、例えば１０８０（テンエイティ）スピン、フリップ、ツイスト、トゥグラブといったトリック、操作、運動競技手腕を実行する。水上スキムアクティビティは屋内または野外で、また、観客の前で公式にあるいは非公式に行うことができる。水上スキムアクティビティは審査員が審査することも可能であり、この場合、ライダー１は、パフォーマンスのスピード、時間、熟達度、難易度、芸術スタイル、アンプリチュードといった要素に基づいて点数や判定を稼ぐ。
【０１５６】
水上スキムアクティビティは、ライダー１が得点を蓄積してゆく単一または複数のイベントであってよい。さらに、水上スキムアクティビティはチームスポーツとして実施することも可能であり、この場合には、チームの各選手の得点を合計してチーム得点とする。
【０１５７】
またさらに、水上スキムアクティビティを、ルースターのいるチーム、競技会スケジュール、統括機関と競技規則を備えたスポーツとして確立することができ、この場合、全ての競技会は本願明細書で上述した水上滑走環境において開催される。
【０１５８】
本発明は、水上スキムアクティビティのための方法ステップを含み、この方法ステップには、水上滑走環境装置を取得するステップと、水上滑走環境上での使用に特化した用具を取得するステップと、用具を使用者に適合させるステップと、使用者１のパフォーマンスを審査する審査を得るステップと、用具に乗った使用者１が、運動競技操作を実行しながら水上滑走環境を水上滑走して降りるステップと、使用者１が自分の運動競技操作のパフォーマンスに基づいて審査員から得点を得るステップとがある。
例証的なアクション水上滑走重力システムおよび計算
パート１：図１と類似した傾斜路用の幅広いスタート／ドロップイン用の傾斜路／スロープの寸法
Ａ．幅：１０フィート（３０４．８ｃｍ）
Ｂ．高さ：２３フィート（７０１．０４ｃｍ）（３フィート（９１．４４ｃｍ）の半径の開始地点に対して垂直な水平／貯液面からプラットホームまでを計測）
Ｃ．ドロップイン／スタートプラットホームの角度：７度（４０平方フィート（３．７２ｍ２））
Ｄ．ドロップイン／スタート半径：３フィート（９１．４４ｃｍ）（４．７５リニアフィート×１０フィート＝４７．５平方フィート（４．４１ｍ２））
Ｅ．傾斜路／スロープ角度：７０度（１２ＬＦ×１０フィート＝１２０平方フィート（１１．１５ｍ２））
Ｆ．トランジション半径：１４フィート（４２６．７２ｃｍ）（約１８ＬＦ×１０フィート＝１８０平方フィート（１６．７２ｍ２））
Ｇ．貯液エリア長さ：４５フィート（１３７１．６ｃｍ）（４５ＬＦ×１０フィート＝４５０平方フィート（４１．８１ｍ２））
パート２：配管システム
Ａ．１つの供給ラインの最小限度：直径３インチ（７６．２ｍｍ）
Ｂ．戻りライン：数量４＝直径３インチ（７６．２ｍｍ
Ｃ．液体供給ポンプのサイズ：６７、２００ＧＰＨまたは１１２０ＧＰＭ
Ｄ．笠木液体ディスペンサ：３インチライン×１０ＬＦ（約９）
Ｅ．排液部：数量８〜１２＝３インチ（７６．２ｍｍ）（所望の液体深さ調整の範囲によって異なる。以下のパート３、Ｂ−４：ａ、ｂ、ｃを参照されたい）。
Ｆ．オプションの側部液体ディスペンサ：（使用者の好みに応じて表面エリア上の液体量を増やすためのもの）。
Ｇ．オプションの表面液体ディスペンサ：（使用者の好みに応じて表面エリア上の液体を増やすためのもの）。
パート３：水上滑走環境の計算：
Ａ．放出口または流量：
１．０．５インチ（１２．７ｍｍ）の水液体深さにつき９００ガロン（３４０６．５ｌ）／時（ＧＰＨ）または１５ガロン（５６．７８ｌ）／分（ＧＰＭ）
２．１インチ（２５．４ｍｍ）の水液体深さにつき２４００ＧＰＨまたは４０ＧＰＭ
３．１．５インチ（３８．１ｍｍ）の水液体深さにつき４５００ＧＰＨまたは７５ＧＰＭ
４．２インチ（５０．８ｍｍ）の水液体深さにつき６７２０ＧＰＨまたは１１２ＧＰＭ
Ｂ．好ましい液体深さレベル
１．傾斜路／スロープ角度：深さ１インチ（２５．４ｍｍ）
ａ．液体容量：２４００ＧＰＨまたは４０ＧＰＭ×１０フィート（３０４．８ｃｍ）＝２４，０００ＧＰＨまたは４００ＧＰＭ．
ｂ．２４，０００ＧＰＨの量の液体を、ドロップイン／スタートプラットホームの頂部に配置した液体ディスペンサ笠木を介して供給する。
【０１５９】
２．トランジション半径：１．５インチ（３８．１ｍｍ）（好ましい範囲は深さ１〜２インチ（可変。以下を参照））、
ａ．２４００ＧＰＨまたは３５ＧＰＨ（供給済みの液体の量）＋２１００ＧＰＨまたは３５ＧＰＭ（放出口値の差は１”〜１．５”）＝４５００ＧＰＨまたは７５ＧＰＭ（液体深さ１．５インチについての放出口値）。
【０１６０】
ｂ．４５００ＧＰＨ×１０フィート（３０４．８ｃｍ）＝４５，０００ＧＰＨまたは７５０ＧＰＭ（１．５インチ（３８．１ｍｍ）の深さの液体を提供するためにトランジションエリアの開始点にて必要な液体量）
ｃ．液体ディスペンサ制御部で流量を制御しながら、側部およびトランジション表面エリア、またはこの組み合わせに設けた液体ディスペンサを介して４５，０００ＧＰＨの液体量を供給する。
【０１６１】
３．貯液エリア：液体深さ２インチ（５０．８ｍｍ）
ａ．４５００ＧＰＨまたは７５ＧＰＭ（既に供給された液体量）＋２２２０ＧＰＨまたは３７ＧＰＭ（放出口速度の差は１．５〜２インチ（３８．１ｍｍ〜５０．８ｍｍ））＝６７２０ＧＰＨまたは１１２ＧＰＭ（液体深さ２インチについての放出口量）。
【０１６２】
ｂ．６７２０ＧＰＨまたは１１２ＧＰＭ×１０フィート（３０４．８ｃｍ）＝６７，２００ＧＰＨまたは１１２０ＧＰＭ（２インチ（５０．８ｍｍ）の液体深さを提供するために、水平な貯液エリアの開始点において必要な液体容量。）
ｃ．総量＝６７，２００ＧＰＨまたは１１２０ＧＰＭ液体容量のポンプサイズが必要。
【０１６３】
４．貯液深さ制御オプション：
ａ．オプションＡ．−各戻りラインはライン内に弁を１つ有する。この弁を調整することで水平な貯液エリアの液位に作用する（つまり、弁を閉鎖するとより多くの「背圧」が生じ、これにより水平な貯液エリアの液位が上昇し（深さが深くなる）、弁を解放すると、「背圧」が低下して排液流が増し、水平な貯液エリアの液位が低下する（深さが浅くなる））。
【０１６４】
ｂ．オプションＢ．−側部バリア（ガンネル）を手動、電子的（モータにより）、水圧的に、垂直方向上下に調整することで、貯液エリアの液体の深さを好みに応じて調整できる。液体は側部バリアの頂縁を超えて、戻りラインに取り付けたとい（または受け容器、タンク、溝、またはシュート）内に排液され、液体供給源に流れる。
【０１６５】
ｃ．液体深さの属性：（１〜２．５インチ（２５．４ｍｍ〜６３．５ｍｍ）＝ジャンプまたはハーフパイプまたはクォータパイプを超えてエア操作を実行中の使用者の場合に、より高速／制御性が低い。３〜６インチ（７６．２ｍｍ〜１５２．４ｍｍ）＝トリックおよび操作のために、使用者またはライダーが水上滑走面から空中へボードまたはスキーを「ポップ」または「オーリー」する場合に、より低速／制御性が高い）。
パート３：液体容量計算：
Ｃ．実施形態の様々な範囲に好ましい深さを供給するために必要な立方フィート
１．ドロップイン／スタートプラットホーム、半径ドロップイン・トランジション、角度付き傾斜路／スロープ＝２０７．５平方フィート（１９，２８ｍ２）（総範囲平方フィート）×．０８３４（１インチ（２５．４ｍｍ）の深さ÷１２）×７．５（立方フィート因数）＝１２９．７９ガロン（４９１．２５ｌ）（四捨五入し１３０ガロン立方フィート）
２．図１の実施形態のトランジション半径１４フィート（４２６．７２ｃｍ）区間＝１８０平方フィート（１６．７２ｍ２）（範囲）×．１２５（１．５インチの深さ÷１２）×７．５＝１６８．７５（四捨五入し１７０ガロン立方フィート）
３．貯液（範囲）＝４５０平方フィート（４１．８１ｍ２）（範囲）×．１６７（２インチ（５０．８ｍｍ）の深さ÷１２）×７．５＝５６３．６２（四捨五入し５６４ガロン立方フィート）
４．総ガロン立方フィート＝８６４
５．８６４×３（短い供給および戻りラインを使用した場合の液体供給量の「概算」因数。これは、配管システム内の液体量（当業者により計算）に応じて上下に調整される。）＝この例の配管システムに供給するのに２，５９２ガロン（９８１０ｌ）の水が必要となる。好みに応じてより高く調整可能。
パート４：概要：
Ａ．水上滑走重力実施形態：
１．水上滑走実施形態を確立する（つまり、実施形態モジュール、射出成形したモジュール、装置など）
２．実施形態表面に支持部を確立する（つまり、射出成形したモジュール、構造、地面、足場など）
３．水上滑走環境表面のサイズ、スタイル、好ましい液体深さ、および実行中の操作に従い、当業者が考える流量を用いて、ポンプシステムを実現する
４．ターンオンポンプ（１または複数）
５．使用者またはライダーの参加を開始する。
Ｂ．追加の水上滑走実施形態：
１．パート４：Ａ−３に従って、水上滑走環境を別の追加環境の上に提供することができる。
【０１６６】
２．ドロップイン／スタート、スロープ／傾斜路、クォータパイプ、ハーフパイプ、ランプ・トゥ・ランプ（「ビッグエア」）、カスケード／ステアステップ（「スロープスタイル」）、ジャンプ、ボックス、レール、ボウル、半円錐台形、および水平貯液エリア特徴を備えた半円錐台形といった形状の様々な水上滑走重力モジュール、構造、または装置実施形態に適用できる。
【０１６７】
３．水上滑走重量環境は、水上滑走実施形態モジュール、装置、および／または構造を使用し、使用者が重力または人間エネルギーから水上滑走する場合に（つまり実施形態の角度を滑降する場合）、１５〜７７度の水上滑走重力環境表面角度を用いて提供される。
【０１６８】
４．使用者またはライダーが水上滑走表面エリアを上方へ移動／移行する場合、例えば、使用者またはライダーが操作またはトリックを行うためにハーフパイプ、クォータパイプ、ジャンプ実施形態を使用する場合には、水上滑走重力環境表面角度を９０度（垂直）にまで増加することができる。
【０１６９】
本発明を上で大要を述べた特定の実施形態と共に説明したが、当業者には多くの代替、改造、応用が明らかになることが明白である。したがって、上述した本発明の好ましい実施形態は、限定ではなく例証を目的としたものである。本発明の精神および範囲から逸脱しない限り様々な変更を加えることが可能である。
【図１Ａ】
2010528688.tif 000003
【図１Ｂ】
2010528688.tif 000004
【図２】
2010528688.tif 000005
【図３】
2010528688.tif 000006
【図４】
2010528688.tif 000007
【図５】
2010528688.tif 000008
【図６】
2010528688.tif 000009
【図７】
2010528688.tif 000010
【図８】
2010528688.tif 000011
【図９Ａ】
2010528688.tif 000012
【図９Ｂ】
2010528688.tif 000013
【図１０】
2010528688.tif 000014
【図１１】
2010528688.tif 000015
【図１２】
2010528688.tif 000016
【図１３】
2010528688.tif 000017
【図１４】
2010528688.tif 000018
【図１５】
2010528688.tif 000019
【図１６】
2010528688.tif 000020
【図１７】
2010528688.tif 000021
【図１８】
2010528688.tif 000022
【図１９】
2010528688.tif 000023
【図２０】
2010528688.tif 000024
【図２１】
2010528688.tif 000025
【図２２】
2010528688.tif 000026
【図２３】
2010528688.tif 000027
【図２４】
2010528688.tif 000028
【図２５】
2010528688.tif 000029
【図２６】
2010528688.tif 000030
【図２７】
2010528688.tif 000031
【図２８】
2010528688.tif 000032
【図２９】
2010528688.tif 000033
【図３０】
2010528688.tif 000034
【図３１】
2010528688.tif 000035
【図３２】
2010528688.tif 000036
【図３３】
2010528688.tif 000037
【図３４】
2010528688.tif 000038
【図３５】
2010528688.tif 000039
【図３６】
2010528688.tif 000040
【図３７】
2010528688.tif 000041
【図３８】
2010528688.tif 000042
【図３９】
2010528688.tif 000043
【図４０】
2010528688.tif 000044
【図４１】
2010528688.tif 000045
【図４２】
2010528688.tif 000046
【図４３】
2010528688.tif 000047
【図４４】
2010528688.tif 000048
【図４５】
2010528688.tif 000049
【図４６】
2010528688.tif 000050
【図４７】
2010528688.tif 000051
【図４８】
2010528688.tif 000052
【図４９】
2010528688.tif 000053
【図５０】
2010528688.tif 000054
【図５１】
2010528688.tif 000055
【図５２】
2010528688.tif 000056
【図５３】
2010528688.tif 000057
【図５４】
2010528688.tif 000058
【図５５】
2010528688.tif 000059
【図５６】
2010528688.tif 000060
【図５７】
2010528688.tif 000061
【図５８】
2010528688.tif 000062
【図５９】
2010528688.tif 000063
【図６０】
2010528688.tif 000064
【国際調査報告】
2010528688.tif 000065
2010528688.tif 000066